(57)【要約】【課題】原色単板デジタルカメラにおける撮像素子出力画素信号の混色不具合による画素状ムラを低減する混色低減装置を提供することを目的とする。【解決手段】特定色画素信号から、特定色画素信号と横方向に隣接する特定色以外の画素信号より算出した一定割合の信号成分を減算する補正処理手段（１０３）と、特定色画素信号が飽和レベルに達した場合に特定色画素信号に対する隣接画素信号漏れ込み低減補正処理の停止を命令する処理停止命令手段（１０４）とを備え、補正対象画素信号の横方向に隣接する画素信号の場合および補正対象画素信号の場合であっても信号レベルが飽和している場合には、補正処理手段（１０３）で補正していない補正対象画素信号を選択出力させ、補正対象画素信号の信号レベルが飽和していない場合は補正処理手段（１０３）で補正した補正画素信号を選択出力させ、画素信号レベルムラ（バラつき）を低減するとともに画素信号レベル飽和時に補正処理手段（１０３）の弊害発生を抑制する。【選択図】　　　図１
2004135206.tif 000002
【特許請求の範囲】
【請求項１】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号と横方向に隣接する特定色以外の画素信号より算出した一定割合の信号成分を減算する補正処理手段と、
特定色画素信号が飽和レベルに達した場合に特定色画素信号に対する隣接画素信号漏れ込み低減補正処理の停止を命令する処理停止命令手段と
を備えたことを特徴とする画素信号混色低減装置。
【請求項２】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号と横方向に隣接する特定色以外の画素信号より算出した一定割合の信号成分を減算する第１の補正処理手段と、
特定色画素信号が飽和レベルに達した場合に、特定色画素信号に対する信号漏れ込み低減補正処理の停止を命令する第１の処理停止命令手段と、
特定色以外の画素信号から、特定色以外の画素信号と横方向に隣接する特定色画素信号より算出した一定割合の信号成分を減算する第２の補正処理手段と、
特定色以外の画素信号が飽和レベルに達した場合に、特定色以外の画素信号に対する隣接画素信号漏れ込み低減補正処理を停止する第２の処理停止命令手段とを備えることを特徴とする画素信号混色低減装置。
【請求項３】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号と横方向に隣接する特定色以外の画素信号より算出した一定割合の信号成分を減算する第１の補正処理手段と、
特定色以外の画素信号から、特定色以外の画素信号と横方向に隣接する特定色画素信号より算出した一定割合の信号成分を減算する第２の補正処理手段と、
画素信号が飽和レベルに達した場合に前記第１，第２の補正処理手段による信号漏れ込み低減補正処理の停止を命令する処理停止命令手段と
を備えることを特徴とする画素信号混色低減装置。
【請求項４】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号の縦方向に隣接する特定色以外の画素信号より算出した一定割合の信号成分を減算する補正処理手段と、
特定色画素信号が飽和した場合に、特定色画素信号に対する隣接画素信号漏れ込み低減補正処理を停止する処理停止命令手段と
を備えたことを特徴とする画素信号混色低減装置。
【請求項５】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号の縦方向に隣接する特定色以外の画素信号より算出した一定割合の信号成分を減算する第１の補正処理手段と、
特定色画素信号が飽和した場合には特定色画素信号に対する隣接画素信号漏れ込み低減補正処理の停止を命令する第１の処理停止命令手段と、
特定色以外の画素信号から、特定色以外の画素信号の縦方向に隣接する特定色画素信号より算出した一定割合の信号成分を減算する第２の補正処理手段と、
特定色以外の画素信号が飽和した場合には特定色以外の画素信号に対する隣接画素信号漏れ込み低減補正処理の停止を命令する第２の処理停止命令手段と
を備えたことを特徴とする画素信号混色低減装置。
【請求項６】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号の縦方向に隣接する特定色以外の画素信号より算出した一定割合の信号成分を減算する第１の補正処理手段と、
特定色以外の画素信号から、特定色以外の画素信号の縦方向に隣接する特定色画素信号より算出した一定割合の信号成分を減算する第２の補正処理手段と、
画素信号が飽和した場合に前記第１，第２の補正処理手段による信号漏れ込み低減補正処理の停止を命令する処理停止命令手段と
を備えたことを特徴とする画素信号混色低減装置。
【請求項７】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から、特定色画素信号と横方向に隣接する特定色以外の画素信号より算出した一定割合の信号成分を減算する第１の補正処理手段と、
特定色画素信号から特定色画素信号の縦方向に隣接する特定色以外の画素信号より算出した一定割合の信号成分を減算する第２の補正処理手段と、
特定色画素信号が飽和レベルに達した場合に前記第１，第２の補正処理手段による信号漏れ込み低減補正処理の停止を命令する処理停止命令手段と
を備えたことを特徴とする画素信号混色低減装置。
【請求項８】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から特定色画素信号と横方向に隣接する特定色以外の画素信号より算出した一定割合の信号成分を減算する第１の補正処理手段と、
特定色以外の画素信号から、特定色以外の画素信号と横方向に隣接する特定色画素信号より算出した一定割合の信号成分を減算す第２の補正処理手段と、
第１の補正処理手段の出力信号を入力信号として特定色画素信号から特定色画素信号の縦方向に隣接する特定色以外の画素信号より算出した一定割合の信号成分を減算する第３の補正処理手段と、
第２の補正処理手段の出力信号を入力信号として特定色以外の画素信号から特定色以外の画素信号の縦方向に隣接する特定色画素信号より算出した一定割合の信号成分を減算する第４の補正処理手段と、
特定色画素信号が飽和レベルに達した場合に、特定色画素信号に対する隣接画素信号漏れ込み低減補正処理を停止する第１の飽和非飽和判別回路と、
特定色以外の画素信号が飽和レベルに達した場合に、特定色以外の画素信号に対する隣接画素信号漏れ込み低減補正処理を停止する第２の飽和非飽和判別回路と
を備えることを特徴とする画素信号混色低減装置。
【請求項９】
Ｒ（赤），Ｇ（緑），Ｂ（青）の３原色を有しそのうちの特定色を市松状に配列された画素信号の混色不具合の抑制処理を実行する画素信号混色低減装置であって、
特定色画素信号から特定色画素信号と横方向に隣接する画素信号より算出した一定割合の信号成分を減算する第１の補正処理手段と、
第１の補正処理手段の出力信号を入力信号として特定色画素信号から特定色画素信号の縦方向に隣接する画素信号より算出した一定割合の信号成分を減算する第２の補正処理手段と、
補正対象画素信号が飽和した場合に前記第１，第２の補正処理手段による信号漏れ込み低減補正処理の停止を命令する処理停止命令手段と
を備えることを特徴とする画素信号混色低減装置。
【請求項１０】
補正対象特定色画素信号レベル飽和かつ補正対象特定色画素信号の斜め右上、斜め右下、斜め左上、斜め左下に隣接する補正対象周辺特定色画素信号レベル飽和時は、補正対象特定色画素信号に対する隣接画素信号漏れ込み補正処理を停止する飽和非飽和判別回路を備えた
請求項１〜請求項９のいずれかに記載の画素信号混色低減装置。
【請求項１１】
補正対象特定色画素信号レベル飽和かつ補正対象特定色画素信号の斜め右上と斜め左下に隣接する補正対象周辺特定色画素信号レベル飽和時、または補正対象特定色画素信号レベル飽和かつ補正対象特定色画素信号の斜め右下と斜め左上に隣接する補正対象周辺特定色画素信号レベル飽和時、または補正対象特定色画素信号レベル飽和時かつ補正対象特定色画素信号の斜め右上、斜め右下、斜め左上、斜め左下に隣接する補正対象周辺特定色画素信号レベル飽和時は、特定色画素信号に対する隣接画素信号漏れ込み低減補正処理を停止する飽和非飽和判別回路を備えた
請求項１〜請求項９のいずれかに記載の画素信号混色低減装置。
【請求項１２】
補正対象特定色画素信号レベル飽和時かつ補正対象特定色画素信号の斜め右上、斜め右下、斜め左上、斜め左下に隣接する補正対象周辺特定色画素信号レベルが飽和していない場合であって、補正対象特定色画素信号について隣接画素信号漏れ込み低減補正処理して得られた補正処理後補正対象特定色画素信号の信号レベルが、補正対象特定色画素信号の斜め右上、斜め右下、斜め左上、斜め左下に隣接する補正対象周辺特定色画素信号について隣接画素信号漏れ込み低減補正処理して得られた補正処理後補正対象周辺特定色画素信号の信号レベルよりも小さい場合は、補正対象特定色画素信号の信号レベルを補正処理後補正対象周辺特定色画素信号の信号レベルと同じにするレベル調節手段と、
補正対象特定色画素信号レベル飽和時かつ補正対象特定色画素信号の斜め右上、斜め右下、斜め左上、斜め左下に隣接する補正対象周辺特定色画素信号レベル飽和時は、補正対象特定色画素信号に対する隣接画素信号漏れ込み低減処理を停止を命令する処理停止命令手段を備えた
請求項１〜請求項９のいずれかに記載の画素信号混色低減装置。
【請求項１３】
補正対象特定色画素信号レベル飽和時かつ補正対象特定色画素信号の斜め右上と斜め左下と斜め右下と斜め左上に隣接する補正対象周辺特定色画素信号が飽和していない場合であって補正対象特定色画素信号について隣接画素信号漏れ込み低減補正処理して得られた補正処理後補正対象特定色画素信号の信号レベルが、補正対象特定色画素信号の斜め右上と斜め左下に隣接する補正対象周辺特定色画素信号について隣接画素信号漏れ込み低減補正処理して得られた補正処理後補正対象周辺特定色画素信号の信号レベルより大きくかつ補正対象特定色画素信号について隣接画素信号漏れ込み低減補正処理して得られた補正処理後補正対象特定色画素信号の信号レベルが、補正対象特定色画素信号の斜め右下と斜め左上に隣接する補正対象周辺特定色画素信号について隣接画素信号漏れ込み低減補正処理して得られた補正処理後補正対象周辺特定色画素信号の信号レベルより小さい場合には、補正対象特定色画素信号の信号レベルを補正対象特定色画素信号の斜め右下と斜め左上に隣接する特定色画素信号について隣接画素信号漏れ込み低減補正処理して得られた補正処理後補正対象周辺特定色画素信号の信号レベルと同じにする第１のレベル調節手段と、
補正対象特定色画素信号レベル飽和時かつ補正対象特定色画素信号の斜め右上と斜め左下と斜め右下と斜め左上に隣接する補正対象周辺特定色画素信号が飽和していない場合であって補正対象特定色画素信号について隣接画素信号漏れ込み低減補正処理して得られた補正処理後補正対象特定色画素信号の信号レベルが、補正対象特定色画素信号の斜め右上と斜め左下に隣接する補正対象周辺特定色画素信号について隣接画素信号漏れ込み低減補正処理して得られた補正処理後補正対象周辺特定色画素信号の信号レベルより小さくかつ補正対象特定色画素信号について隣接画素信号漏れ込み低減補正処理して得られた補正処理後補正対象特定色画素信号の信号レベルが、補正対象特定色画素信号の斜め右下と斜め左上に隣接する特定色画素信号について隣接画素信号漏れ込み低減補正処理して得られた補正処理後補正対象周辺特定色画素信号の信号レベルより大きい場合には、補正対象特定色画素信号の信号レベルを補正対象特定色画素信号の斜め右上と斜め左下に隣接する補正対象周辺特定色画素信号について信号漏れ込み低減補正処理して得られた補正処理後補正対象周辺特定色画素信号の信号レベルと同じにする第２のレベル調節手段と
を設け、前記処理停止命令手段を、
補正対象特定色画素信号レベル飽和時かつ、補正対象特定色画素信号の斜め右上と斜め左下に隣接する補正対象周辺特定色画素信号レベルが飽和している時または、補正対象特定色画素信号の斜め右下と斜め左上に隣接する補正対象周辺特定色画素信号レベルが飽和している時または、補正対象特定色画素信号の斜め右上、斜め右下、斜め左上、斜め左下に隣接する補正対象周辺特定色画素信号レベルが飽和している時は、補正対象特定色画素信号に対する隣接画素信号漏れ込み補正処理を停止するよう構成した
請求項１２記載の画素信号混色低減装置。
【発明の詳細な説明】
【０００１】
【発明の属する技術分野】
本発明は、原色単板デジタルカメラにおける撮像素子出力画素信号の混色不具合の抑制処理に関するものである。詳しくは、撮像素子の高画素化にともなう画素サイズの微細化で隣接画素に信号が漏れ込みによる混色、撮像素子の高画素化にともなう高速駆動化で特に水平転送漏れによる混色で、画素信号の信号レベルにムラ（バラつき）が発生するので、これを低減する混色不具合の抑制処理に関するものである。
【０００２】
【従来の技術】
ＣＣＤ撮像素子（イメージセンサ）の基本構造について、ＩＴ−ＣＣＤ（　Ｉｎｔｅｒｌｉｎｅ　Ｔｒａｎｓｆｅｒ　Ｃｈａｒｇｅ−Ｃｏｕｐｌｅｄ−Ｄｅｖｉｃｅ　）を例に挙げて説明する。
【０００３】
ＩＴ−ＣＣＤは、被写体の光の情報を電荷の情報（画像信号）に光電変換するフォトダイオード（以降、ＰＤとする）がマトリックス状に配列されており、各列のＰＤの間に、垂直ＣＣＤが配列されている。垂直ＣＣＤの一方の端には水平ＣＣＤが配置されており、水平ＣＣＤの端部に電荷検出部と出力回路（信号出力端子）がある。
【０００４】
ＣＣＤイメージセンサは、光電変換，電荷蓄積，電荷転送，電荷検出の４つの基本動作を順次行い、二次元画像を電気信号に変えて出力する。
すなわち、入射した光がＰＤで電荷（電子）に変換されて蓄えられる。ＰＤに蓄えられた信号電荷は、一斉に垂直ＣＣＤへ移送される。垂直ＣＣＤへ移送された信号電荷は、水平ＣＣＤに近い方（ライン）から順番に水平ＣＣＤに移送される。この１ライン分ずつの信号電荷は、水平ＣＣＤによって電荷検出部に近い方（画素）から１画素ずつ電荷検出部へと送り込まれ、電圧に変換されて信号出力端子に現れる。これらの基本動作を繰り返すことによりすべてのラインを出力して１画面の画像を構成する。
【０００５】
このように、水平ＣＣＤに移送された１ライン分の全ての画素の電荷検出を行ってから、垂直転送を１ラインだけ行うので、垂直転送周期に対し、水平転送・電荷検出処理（電荷検出を終えた信号電荷を捨ててから、次の信号電荷を電荷検出部に移送して電荷検出を行う。このような処理を１画素毎に行う）周期は遥かに短く、高速な処理となっている。
【０００６】
さらに、光電変換を行うＰＤ上には、図３３のように光情報の色分離を行うカラーフィルタがマトリックス状に配列されている。図３３はＲＧＢベイヤー配列カラーフィルタの例である。
【０００７】
光の情報はカラーフィルタを透過後、ＰＤに入射して信号電荷に変換され、光の明暗と同時に色の情報も識別できる。
これらの従来技術は、例えば（非特許文献１）に記載されている。
【０００８】
【非特許文献１】
「ＣＣＤカメラ技術入門」　竹村裕夫著　発行所：コロナ社
１９９７年１２月初版発行　第２３〜３５頁
【０００９】
【発明が解決しようとする課題】
ＣＣＤ撮像素子は、近年の高画素化にともない、光学系（レンズ）のコンパクト化のための画素サイズの微細化や、面更新レートを上げるための高速駆動化が進行している。
【００１０】
高画素化にともなう画素サイズの微細化における課題について説明する。
図３４（ａ），図３４（ｂ）ともＣＣＤ撮像素子の画素部（ＰＤと垂直ＣＣＤで構成）の水平方向の断面の概略図である。図３４（ａ），図３４（ｂ）とも同じ番号を用いている。１０は光の集光率を上げるためのマイクロレンズ、１２はカラーフィルタ、１３は垂直転送ＣＣＤで信号電荷を垂直転送しているときに光が入らないようにするための遮光膜、１４は垂直転送電極・信号電荷読出し電極、１５は垂直ＣＣＤ、１６は信号電荷読出し部、１７はＰＤ、１８は入射光である。
【００１１】
図３４（ｂ）は、図３４（ａ）に対して高画素化にともなう画素サイズの微細化が進んでいる状態を示す。図３４（ｂ）から分かるように画素間のピッチが狭まり、マイクロレンズ１０によって集光されカラーフィルタ１２を通過した光が、水平両隣の垂直ＣＣＤ１５や垂直両隣のＰＤ１７に漏れやすくなっている。
【００１２】
次に高画素化にともなうＣＣＤ撮像素子高速駆動化における課題について説明する。
図３５（ａ）はＰＤ２に蓄積されたＲＧＢ信号電荷が一斉にＶＣＣＤ１に読み出されるところ、図３５（ｂ）はＶＣＣＤ１に移送されたＲＧＢ信号電荷が、１ラインずつ垂直転送され、水平ＣＣＤ３に一番近いラインの信号電荷が水平ＣＣＤ３に移送されるところ、図３６（ａ）は電荷検出部４に近い画素の信号電荷から、１画素ずつ電荷検出部４へと移送されているところ、図３６（ｂ）は水平ＣＣＤ３に一番近いラインの画素信号が電圧に変換されて出力しているところ、図３７（ａ）は水平ＣＣＤ３に一番近いラインの全ての画素信号が電圧に変換・出力され、ＶＣＣＤ１がまた１ラインずつ垂直転送され、水平ＣＣＤ３に２番目に近かったラインの信号電荷が水平ＣＣＤに移送されているところ、図３７（ｂ）は図３６（ａ）と同様電荷検出部に近い画素の信号電荷から１画素ずつ電荷検出部４へと送りこまれているところ、図３７（ｃ）は水平ＣＣＤ３に２番目に近かったラインの信号電荷が電圧に変換されて出力しているところである。
【００１３】
ＲＧＢ信号電荷が理想的に読み出されれば、不具合は生じないが、前述のように垂直転送に比べ、水平転送・信号電荷検出、特に信号電荷検出は１画素ずつ信号電荷を検出・電圧変換を行い、信号電荷検出・電圧変換後、リセットパルス信号で信号電荷を排出し、その後、次の信号電荷の検出・電圧変換処理を行うので、高速な処理となっている高画素化に伴なう高速駆動化で、この信号電荷検出・電圧変換処理後の信号電荷が完全に排出しきれず信号電荷が残りやすくなった。この信号電荷排出残りと次の信号電荷が混合して、ＣＣＤ撮像素子から実際に読み出されたＲＧＢ画素信号は、信号電荷が横漏れした状態になる。
【００１４】
以上のように、Ｒ信号とＢ信号の漏れ込みの影響を受けて、ＲＧラインのＧ信号とＢＧラインのＧ信号との信号レベル差による画素ムラが発生する。
Ｒ信号もＢ信号もＧ信号の漏れ込みの影響を受け、純粋なＲ信号、Ｂ信号でないので、分光特性劣化はあるが、画素ムラ（ライン段差）は発生しない。
【００１５】
次に、光の漏れ込み、信号電荷の漏れ込みが画質に与える影響について、説明する。
一般的にＲとＢのカラーフィルタの透過率の差によりＧ信号に混ざるＲ成分の信号レベルとＢ成分の信号レベルが異なるので、白色・黄色・シアン色の被写体でＲＧラインのＧ信号とＢＧラインのＧ信号との信号レベル差による画素ムラ（ライン段差）が発生する。
【００１６】
ＲとＢのカラーフィルタの透過率の差が無ければ、白色被写体についてはＲ信号成分とＢ信号成分が同じようにＧ信号側に漏れ込むので、画素ムラは発生しないが、この場合でも、黄色被写体ではＢ信号成分のＧ信号側の漏れ込みがなくＲ信号成分だけがＧ信号側に漏れ込み、シアン色被写体ではＲ信号成分のＧ信号側の漏れ込みがなくＢ信号成分だけがＧ信号側に漏れ込み、画素ムラは発生する。
【００１７】
ＣＣＤ撮像素子の高画素化あるいは光学系（レンズ）のコンパクト化のためのＣＣＤの小型化に伴う画素サイズの微細化、高画素化に伴なう面更新レートを上げるための高速駆動化が進めば、上記の格子縞の画質の不具合が顕著になる。ＣＣＤ撮像素子の特性改善だけでは画素状ムラ画質の不具合を回避するのは困難である。
【００１８】
本発明は上記の課題に鑑み、ＣＣＤのカメラシステムにおいて、画素状ムラを低減できる画素信号混色低減装置を提供することを目的とする。
【００１９】
【課題を解決するための手段】
本発明の画素信号混色低減装置は、Ｒ（赤），Ｇ（緑），Ｂ（青）の３原色を有しそのうちの特定色を市松状に配列された画素信号の混色不具合の抑制処理を実行する画素信号混色低減装置であって、特定色画素信号から、特定色画素信号と横方向に隣接する特定色以外の画素信号より算出した一定割合の信号成分を減算する補正処理手段と、特定色画素信号が飽和レベルに達した場合に特定色画素信号に対する隣接画素信号漏れ込み低減補正処理の停止を命令する処理停止命令手段とを備えたことを特徴とする。
【００２０】
この構成によると、例えば、補正対象画画素信号をＧ信号とした場合に、画素ムラ（画素信号レベルムラ）不具合の原因となるＧ信号あるいはＲ信号・Ｂ信号の隣接画素信号成分漏れ込みを低減するとともに、Ｇ信号あるいはＲ信号・Ｂ信号の信号レベルが飽和したときに、または、ＲＧラインのＧ信号とＢＧラインのＧ信号のうちいずれか一方のＧ信号が飽和したときに、隣接画素信号成分漏れ込み低減補正の弊害を抑制する。
【００２１】
【発明の実施の形態】
以下、本発明の各実施の形態を図１〜図３２に基づいて説明する。
（実施の形態１）
図１，図２（ａ）（ｂ），図３〜図８は本発明の（実施の形態１）を示す。
【００２２】
本発明の（実施の形態１）の画素信号混色低減装置を図１に示す。
この構成図は、駆動クロック周期が１画素レートと同一である場合の図である。
【００２３】
１０１，１０２はＤフリップフロップで、元々の画素信号（遅延無し画素信号）に対して１画素分遅延した画素信号，２画素分遅延した画素信号を生成する。
１０３は補正処理手段で、Ｒ（赤），Ｇ（緑），Ｂ（青）の３原色を有しそのうちの特定色を市松状に配列された画素信号で、特定色画素信号の信号レベルが飽和していない場合に、特定色画素信号から、特定色画素信号と横方向に隣接する特定色以外の画素信号より算出した一定割合の信号成分を減算する。
【００２４】
具体的には、この補正処理手段１０３は、平均値算出回路１０３ａと、第１の信号切換回路１０３ｂと、漏れ込み信号成分算出回路１０３ｃと、減算処理回路１０３ｄとで構成されている。
【００２５】
平均値算出回路１０３ａは、元々の画素信号Ｓ０と、Ｄフリップフロップ１０１，１０２で２画素分遅延した画素信号Ｓ２とを入力信号として補正対象画素（この構成図では１画素分遅延した画素信号）の横方向に隣接する画素信号の平均値を算出する。
【００２６】
第１の信号切換回路１０３ｂは、ＲＧライン・ＢＧライン判別信号ＣＯ１を切換信号として、ＲＧラインＲ信号のＲＧラインＧ信号側の漏れ込み割合設定値Ｎ１とＢＧラインＢ信号のＢＧラインＧ信号側の漏れ込み割合設定値Ｎ２とを切り換えて出力する。
【００２７】
なお、補正対象の画素信号ラインがＲＧラインの場合の補正対象画素Ｇを図２（ａ）に示す。補正対象の画素信号ラインがＢＧラインの場合の補正対象画素Ｇを図２（ｂ）に示す。
【００２８】
漏れ込み信号成分算出回路１０３ｃは、前記平均値算出回路１０３ａで算出した補正対象画素の横方向に隣接する画素信号の平均値と前記第１の信号切換回路１０３ｂから出力したＧ信号側の漏れ込み割合設定値から漏れ込み信号成分を算出する。具体的には、漏れ込み信号成分算出回路１０３ｃは、例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６するという構成である。
【００２９】
減算処理回路１０３ｄは、補正対象画素信号（この構成図では１画素分遅延した画素信号）から漏れ込み信号成分算出回路１０３ｃで算出したＧ信号側の漏れ込み信号成分を減算する。
【００３０】
このようにして補正処理手段１０３は、１画素分遅延した画素信号（補正対象画素信号）から、この補正処理手段１０３のブロック内部で算出した横方向に隣接する画素信号への漏れ込み信号成分を減算する。
【００３１】
１０４は処理停止命令手段で、特定色画素信号が飽和レベルに達した場合に、特定色画素信号に対する隣接画素信号漏れ込み低減補正処理の停止を命令する。具体的には、この処理停止命令手段１０４は、飽和非飽和判別回路１０４ａと、論理和回路１０４ｂとで構成されている。論理和回路１０４ｂの入力には、飽和非飽和判別回路１０４ａの出力と、排他論理和回路１０５ｂの出力とが入力されている。排他論理和回路１０５ｂの入力には、駆動クロック２分周信号発生回路１０５ａの出力と、ライン判別信号ＣＯ１とが入力されている。
【００３２】
詳しくは、Ｇ信号はＲＧラインかＢＧラインかによって奇数番目の画素信号となるか偶数番目の画素信号となるかが変わるので、排他論理和回路１０５ｂは、駆動クロック２分周信号とＲＧライン・ＢＧライン判別信号の排他論理和をとってＲＧライン・ＢＧラインとも１画素分遅延した画素信号がＧ信号のときは‘Ｌ’を、１画素分遅延した画素信号がＲＧラインのＲ信号またはＢＧラインのＢ信号のときは‘Ｈ’の、すなわちＧ信号判別信号を出力する。
【００３３】
飽和非飽和判別回路１０４ａは、１画素分遅延した画素信号Ｓ１が飽和している場合（信号レベルが１０２３のとき）は‘Ｈ’を出力し、１画素分遅延した画素信号が飽和していない場合（信号レベルが１０２３より小さいのとき）には‘Ｌ’を出力する。
【００３４】
論理和回路１０４ｂは、１画素分遅延した画素信号がＲＧラインのＲ信号またはＢＧラインのＢ信号のとき若しくはＲＧライン・ＢＧラインともＧ信号飽和時は‘Ｈ’を出力し、それ以外の１画素分遅延した画素信号がＲＧライン・ＢＧラインともＧ信号（Ｇ信号非飽和時）の時は‘Ｌ’を出力するようにＧ信号判別信号と飽和非飽和判別回路１０４ａの出力との論理和をとる。
【００３５】
このようにして処理停止命令手段１０４は、信号切換回路１０６の切換信号の発生ブロックとして作用しており、１画素分遅延した画素信号がＲＧラインのＲ信号またはＢＧラインのＢ信号のとき若しくはＲＧライン・ＢＧラインともＧ信号が飽和時は‘Ｈ’を出力し、それ以外の１画素分遅延した画素信号がＲＧライン・ＢＧラインとも非飽和時のＧ信号の時は‘Ｌ’を出力する。
【００３６】
信号切換回路１０６は、処理停止命令手段１０４で発生した切換信号の位相が‘Ｈ’の時は１画素分遅延した画素信号Ｓ１を出力するように切り換えられ、処理停止命令手段１０４で発生した切換信号の位相が‘Ｌ’の時には、補正処理手段１０３によって１画素分遅延した画素信号Ｓ１から漏れ込み信号成分を減算補正した補正画素信号ＳＳに切り換えて出力する。これによりＲ信号・Ｂ信号および飽和時のＧ信号の場合は１画素分遅延した画素信号を、非飽和時のＧ信号の場合は漏れ込み信号成分を減算補正した画素信号を出力する。
【００３７】
図１のように構成された画素信号混色低減装置の動作について、図３〜図８を用いて説明する。
図４のような３原色カラーフィルタ配列（ベイヤー配列）の撮像素子で、図３のような信号レベル５０％白色、信号レベル５０％黄色、信号レベル５０％シアン色、信号レベル１００％白色、信号レベル１００％黄色、信号レベル１００％シアン色の被写体を撮像したとき、本来の理想的な撮像素子出力を、図５に示す。
【００３８】
図３〜図８では、撮像素子出力を１０ｂｉｔデータの十進数という形式で示し、説明を簡単にするため、例えば、無彩色撮像時は
Ｒ信号レベル　＝　Ｇ信号レベル　＝　Ｂ信号レベル
というように色バランスがとれた理想的な信号としている。
【００３９】
例えば、ＲＧラインＲ信号の１／３２の信号成分が横方向に隣接するＲＧラインＧ信号側に、ＲＧラインＧ信号の１／１６の信号成分が横方向に隣接するＲＧラインＲ信号側に、ＢＧラインＧ信号の１／１６の信号成分が横方向に隣接するＢＧラインＢ信号側に、ＢＧラインＢ信号の１／６４の信号成分が横方向に隣接するＢＧラインＧ信号側に漏れ込んだときの信号データを図６に示す。
【００４０】
特に問題となるのは、Ｇ信号が飽和していないときのＲＧラインのＧ信号とＢＧラインのＧ信号の段差であるが（図５〜図８では、ＲＧラインＲ信号成分が横方向に隣接するＲＧラインＧ信号側に、ＲＧラインＧ信号成分が横方向に隣接するＲＧラインＲ信号側に、ＢＧラインＧ信号の信号成分が横方向に隣接するＢＧラインＢ信号側に、ＢＧラインＢ信号の信号成分が横方向に隣接するＢＧラインＧ信号側に漏れ込む量が異なっている場合についての説明となっているが、漏れ込む量が一致していてもＲ信号・Ｇ信号・Ｂ信号の３原色が全て存在する白色被写体ではＲＧラインのＧ信号とＢＧラインのＧ信号の段差は発生しないが、例えば、シアン色の被写体の場合はＧ信号・Ｂ信号、黄色の被写体の場合はＲ信号・Ｇ信号しか存在しないのでＲＧラインのＧ信号とＢＧラインのＧ信号の段差は発生する。またＧ信号飽和時は、隣接画素信号の漏れ込みがあっても飽和レベル以上になることはありえないのでＲＧラインのＧ信号とＢＧラインのＧ信号の段差は発生しない）、この（実施の形態１）の補正処理手段１０３で、例えば、漏れ込み割合のレジスタ設定値が８ｂｉｔデータでかつ補正対象画素の横方向隣接画素信号の平均値と漏れ込み割合のレジスタ設定値を乗算回路で乗算した後、ビットシフトダウンで１／２５６という構成の場合、ＲＧラインＲ信号のＧ信号側の漏れ込み割合レジスタ設定値を８（８／２５６＝１／３２）・ＢＧラインＢ信号のＧ信号側の漏れ込み割合レジスタ設定値を４（４／２５６）とした場合、ＲＧラインＧ信号からＲＧラインＧ信号の横方向隣接のＲＧラインＲ信号の１／３２の信号成分をＢＧラインＧ信号からＢＧラインＧ信号の横方向隣接のＢＧラインＢ信号の１／６４の信号成分を減算していることになり、その処理結果を図７に示す。
【００４１】
以上のＧ信号側の漏れ込み信号成分減算処理により、図７から分かるように、Ｇ信号が飽和していないときは、ＲＧラインのＧ信号とＢＧラインのＧ信号の段差は解消するが、Ｇ信号が飽和しているときは、上記Ｇ信号側の漏れ込み信号成分減算処理の弊害があらわれ、Ｇ信号飽和部分にはなかったＲＧラインのＧ信号とＢＧラインのＧ信号の段差が発生する。
【００４２】
そこでさらに、この（実施の形態１）の画素信号混色低減装置では図１の処理停止命令手段１０４内の飽和非飽和判別回路１０４ａでＧ信号が飽和しているかどうかを判別してＧ信号飽和時は漏れ込み信号成分減算処理をしていない画素信号選択出力させて、漏れ込み信号成分減算処理はＧ信号が飽和していない場合に限定している。
【００４３】
その結果、図８に示すようにＧ信号が飽和していない場合は隣接画素信号の横方向の漏れ込み信号成分によるＲＧラインのＧ信号とＢＧラインのＧ信号の段差が低減され、かつＧ信号飽和部分には漏れ込み信号成分減算処理の弊害は発生しなくなる。
【００４４】
（実施の形態２）
本発明の（実施の形態２）の画素信号混色低減装置を図９に示す。
１０１，１０２はＤフリップフロップで、元々の画素信号Ｓ０（遅延無し画素信号）に対して１画素分遅延した画素信号Ｓ１，２画素分遅延した画素信号Ｓ２を生成する。
【００４５】
補正処理手段３０３は、元々の画素信号Ｓ０と、Ｄフリップフロップ１０１，１０２で２画素分遅延した画素信号Ｓ２とを入力信号として補正対象画素（この構成図では１画素分遅延した画素信号）の横方向に隣接する画素信号の平均値を算出する。平均値算出回路３０３ａと、平均値算出回路３０３ａの出力を入力として特定色画素信号と横方向に隣接する特定色以外の画素信号より算出した一定割合の信号成分を減算する第１の補正処理手段と、平均値算出回路３０３ａの出力を入力として特定色以外の画素信号から、特定色以外の画素信号と横方向に隣接する特定色画素信号より算出した一定割合の信号成分を減算する第２の補正処理手段とを有している。
【００４６】
詳しくは、第１の補正処理手段は、第１の信号切換回路３０３ｂと、第１の漏れ込み信号成分算出回路３０３ｃと、減算処理回路３０３ｇとで構成されている。
【００４７】
第１の信号切換回路３０３ｂでは、ＲＧライン・ＢＧライン判別信号ＣＯ１を切換信号として、ＲＧラインＲ信号のＲＧラインＧ信号側の漏れ込み割合設定値Ｎ１，ＢＧラインＢ信号のＢＧラインＧ信号側の漏れ込み割合設定値Ｎ２の切り換えを行う。
【００４８】
第２の補正処理手段は、第２の信号切換回路３０３ｄと、第２の漏れ込み信号成分算出回路３０３ｅと、前記減算処理回路３０３ｇとで構成されている。
第２の信号切換回路３０３ｄは、ＲＧライン・ＢＧライン判別信号ＣＯ１を切換信号として、ＲＧラインＧ信号のＲＧラインＲ信号側の漏れ込み割合設定値Ｎ３，ＢＧラインＧ信号のＢＧラインＢ信号側の漏れ込み割合設定値Ｎ４の切り換えを行う。
【００４９】
第１の漏れ込み信号成分算出回路３０３ｃでは、平均値算出回路３０３ａで算出した補正対象画素の横方向に隣接する画素信号の平均値と切換回路３０３ｂから出力したＧ信号側の漏れ込み割合設定値から漏れ込み信号成分を算出する。
【００５０】
第２の漏れ込み信号成分算出回路３０３ｅでは、平均値算出回路３０３ａで算出した補正対象画素の横方向に隣接する画素信号の平均値と第２の信号切換回路３０３ｄから出力したＲ信号側またはＢ信号側の漏れ込み割合設定値から漏れ込み信号成分を算出する。例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６という構成。
【００５１】
排他論理和回路３０４ａでは、Ｇ信号はＲＧラインかＢＧラインかによって奇数番目の画素信号となるか偶数番目の画素信号となるかが変わるので、駆動クロック２分周信号発生回路３０４ｂとＲＧライン・ＢＧライン判別信号ＣＯ１の排他論理和をとってＲＧライン・ＢＧラインとも１画素分遅延した画素信号がＧ信号のときは‘Ｌ’を、１画素分遅延した画素信号がＲＧラインのＲ信号またはＢＧラインのＢ信号のときは‘Ｈ’、すなわちＧ信号判別信号を出力する。
【００５２】
第３の信号切換回路３０３ｆでは、排他論理和回路３０４ａの出力信号（Ｇ信号判別信号）を切換信号として、第１の漏れ込み信号成分算出回路３０３ｃまたは第２の漏れ込み信号成分算出回路３０３ｅの出力の切り換えを行う。
【００５３】
減算処理回路３０３ｇは、補正対象画素信号（この構成図では１画素分遅延した画素信号Ｓ１）から第３の信号切換回路３０３ｆの回路出力のＧ信号隣接Ｒ信号またはＢ信号によるＧ信号側の漏れ込み信号成分、またはＲ信号またはＢ信号隣接Ｇ信号によるＲ信号またはＢ信号側の漏れ込み信号成分の減算処理を行う。
【００５４】
従って、補正処理手段３０３は、１画素分遅延した画素信号（補正対象画素信号）から、３０３のブロック内部で算出した横方向に隣接する画素信号への漏れ込み信号成分を減算する。
【００５５】
第１，第２の補正処理手段による補正処理の停止を命令する処理停止命令手段としての飽和非飽和判別回路３０５では、１画素分遅延した画素信号Ｓ１が飽和している場合は‘Ｈ’を１画素分遅延した画素信号が飽和していないときは‘Ｌ’を出力する。
【００５６】
第４の信号切換回路３０６では、飽和非飽和判別回路３０５で発生した切換信号の位相が‘Ｈ’の時は１画素分遅延した画素信号に、飽和非飽和判別回路３０５で発生した切換信号の位相が‘Ｌ’の時は、漏れ込み信号成分減算処理ブロック３０３で１画素分遅延した画素信号から漏れ込み信号成分を減算補正した補正画素信号に切り換えて出力する。
【００５７】
これにより飽和時のＲ信号・Ｇ信号・Ｂ信号の場合は１画素分遅延した画素信号を（漏れ込み信号成分減算処理をしない）、非飽和時のＲ信号・Ｇ信号・Ｂ信号の場合は漏れ込み信号成分を減算補正した画素信号を出力する。
【００５８】
このような構成にすることで、隣接画素信号の横方向の漏れ込み信号成分によるＲＧラインのＧ信号とＢＧラインのＧ信号の段差およびＲ信号・Ｂ信号のＧ信号成分漏れ込みが低減され、かつＲ信号・Ｇ信号・Ｂ信号飽和部分には漏れ込み信号成分減算処理の弊害は発生しなくなる。
【００５９】
なお、図９では第３の信号切換回路３０３ｆによって、第１の漏れ込み信号成分算出回路３０３ｃの出力と、第２の漏れ込み信号成分算出回路３０３ｅの出力とを切り換えて、減算処理回路３０３ｇに選択的に減算する補正信号を供給したため、単一の飽和非飽和判別回路３０５で第４の信号切換回路３０６を切り換えて信号漏れ込み低減補正処理の停止を命令するように構成したが、第１の漏れ込み信号成分算出回路３０３ｃの出力に、特定色画素（Ｇ）信号が飽和レベルに達した場合に、特定色画素信号に対する信号漏れ込み低減補正処理の停止を命令する第１の処理停止命令手段を設け、第２の漏れ込み信号成分算出回路３０３ｅの出力に、特定色以外の画素（Ｒ，Ｂ）信号が飽和レベルに達した場合に、特定色以外の画素信号に対する隣接画素信号漏れ込み低減補正処理の停止を命令する第２の処理停止命令手段を設けて構成することもできる。
【００６０】
（実施の形態３）
図１０，図１１（ａ）（ｂ）は、本発明の（実施の形態３）を示す。
本発明の（実施の形態３）の画素信号混色低減装置を図１０に示す。
【００６１】
この構成図は、駆動クロック周期が１画素レートと同一である場合の図である。
補正処理手段５０４のそれ自体の構成は、（実施の形態１）の補正処理手段１０３と同じであって、平均値算出回路５０４ａ，第１の信号切換回路５０４ｂ，漏れ込み信号成分算出回路５０４ｃ，減算処理回路５０４ｄは、それぞれ平均値算出回路１０３ａ，第１の信号切換回路１０３ｂ，漏れ込み信号成分算出回路１０３ｃ，減算処理回路１０３ｄと同じである。
【００６２】
５０１，５０２，５０３はＤフリップフロップで、補正対象画素信号ライン、補正対象画素信号ラインの上に隣接する画素信号ライン、補正対象画素信号ラインの下に隣接する画素信号ラインをそれぞれ１画素分遅延させた３ラインの画素信号を生成する。
【００６３】
ここでは、Ｄフリップフロップ５０２，５０３の出力が平均値算出回路５０４ａの入力に供給され、Ｄフリップフロップ５０１の出力が減算処理回路５０４ｄの入力に供給されている。
【００６４】
平均値算出回路５０４ａは、補正対象画素信号ラインの上に隣接する画素信号ラインを１画素分遅延させて生成した画素信号と補正対象画素信号ラインの下に隣接する画素信号ラインを１画素分遅延させて生成した画素信号を入力させて補正対象画素（この構成図では補正対象画素信号ライン信号を１画素分遅延させて生成した画素信号）の縦方向に隣接する画素信号の平均値を算出する。
【００６５】
第１の信号切換回路５０４ｂでは、ＲＧライン・ＢＧライン判別信号ＣＯ１を切換信号として、ＢＧラインＢ信号のＲＧラインＧ信号側の漏れ込み割合設定値Ｎ５とＲＧラインＲ信号のＢＧラインＧ信号側の漏れ込み割合設定値Ｎ６との切り換えを行う。
【００６６】
なお、補正対象の画素信号ラインがＲＧラインの場合の補正対象画素Ｇを図１１（ａ）に示す。補正対象の画素信号ラインがＢＧラインの場合の補正対象画素Ｇを図１１（ｂ）に示す。
【００６７】
漏れ込み信号成分算出回路５０４ｃでは、平均値算出回路５０４ａで算出した補正対象画素の縦方向に隣接する画素信号の平均値と第１の切換回路５０４ｂのから出力したＧ信号側の漏れ込み割合設定値から漏れ込み信号成分を算出する（例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６という構成）。
【００６８】
減算処理回路５０４ｄでは、補正対象画素信号（この構成図では補正対象画素信号ライン信号を１画素分遅延させて生成した画素信号）から漏れ込み信号成分算出回路５０４ｃで算出したＧ信号側の漏れ込み信号成分を減算する。
【００６９】
従って、補正処理手段５０４は、補正対象画素信号ライン信号を１画素分遅延させて生成した画素信号（補正対象画素信号）から、ブロック５０４の内部で算出した縦方向に隣接する画素信号への漏れ込み信号成分を減算する。
【００７０】
処理停止命令手段５０５は、（実施の形態１）の処理停止命令手段１０４と同じであって、飽和非飽和判別回路５０５ａ，論理和回路５０５ｂは、それぞれ飽和非飽和判別回路１０４ａ，論理和回路１０４ｂと同じである。論理和回路５０５ｂの入力には、飽和非飽和判別回路５０５ａの出力と、排他論理和回路５０６ｂの出力とが入力されている。排他論理和回路５０６ｂの入力には、駆動クロック２分周信号発生回路５０６ａの出力と、ライン判別信号ＣＯ１とが入力されている。
【００７１】
詳しくは、Ｇ信号はＲＧラインかＢＧラインかによって奇数番目の画素信号となるか偶数番目の画素信号となるかが変わるので駆動クロック２分周信号とＲＧライン・ＢＧライン判別信号の排他論理和をとって、排他論理和回路５０６ｂは、ＲＧライン・ＢＧラインとも補正対象画素信号ライン信号を１画素分遅延させて生成した画素信号がＧ信号のときは‘Ｌ’を、補正対象画素信号ライン信号を１画素分遅延させて生成した画素信号がＲＧラインのＲ信号またはＢＧラインのＢ信号のときは‘Ｈ’、すなわちＧ信号判別信号を出力する。
【００７２】
飽和非飽和判別回路５０５ａでは、補正対象画素信号ライン信号を１画素分遅延させて生成した画素信号が飽和している場合は‘Ｈ’を１画素分遅延した画素信号が飽和していないときは‘Ｌ’を出力する。
【００７３】
論理和回路５０５ｂでは、補正対象画素（補正対象画素信号ライン信号を１画素分遅延させて生成した画素信号）がＲＧラインのＲ信号またはＢＧラインのＢ信号のとき若しくはＲＧライン・ＢＧラインともＧ信号飽和時は‘Ｈ’を、それ以外の補正対象画素（補正対象画素信号ライン信号を１画素分遅延させて生成した画素信号）がＲＧライン・ＢＧラインともＧ信号（Ｇ信号非飽和時）の時は‘Ｌ’を出力するようにＧ信号判別信号と飽和非飽和判別回路５０５ａの出力との論理和をとる。
【００７４】
従って、処理停止命令手段５０５では、第２の切換信号５０７の発生ブロックで補正対象画素（補正対象画素信号ライン信号を１画素分遅延させて生成した画素信号）がＲＧラインのＲ信号またはＢＧラインのＢ信号のとき若しくはＲＧライン・ＢＧラインともＧ信号が飽和時は‘Ｈ’を、それ以外の補正対象画素（補正対象画素信号ライン信号を１画素分遅延させて生成した画素信号）画素信号がＲＧライン・ＢＧラインともＧ信号の時は‘Ｌ’を出力する。
【００７５】
第２の切換信号５０７は、処理停止命令手段５０５で発生した切換信号の位相が‘Ｈ’の時は補正対象画素（補正対象画素信号ライン信号を１画素分遅延させて生成した画素信号）に、処理停止命令手段５０５で発生した切換信号の位相が‘Ｌ’の時は補正処理手段５０４の補正対象画素（補正対象画素信号ライン信号を１画素分遅延させて生成した画素信号）から漏れ込み信号成分を減算補正した補正画素信号に切り換えて出力する。
【００７６】
これによりＲ信号・Ｂ信号および飽和時のＧ信号の場合は補正対象画素（補正対象画素信号ライン信号を１画素分遅延させて生成した画素信号）を、非飽和時のＧ信号の場合は漏れ込み信号成分を減算補正した画素信号を出力する。
【００７７】
この構成によると、Ｇ信号が飽和していない場合は隣接画素信号の縦方向の漏れ込み信号成分によるＲＧラインのＧ信号とＢＧラインのＧ信号の段差が低減され、かつＧ信号飽和部分には漏れ込み信号成分減算処理の弊害は発生しなくなる。
【００７８】
（実施の形態４）
図１２は本発明の（実施の形態４）を示す。補正対象画素信号ラインがＲＧラインの場合、ＢＧラインの場合の補正対象画素の説明図は図１１（ａ），図１１（ｂ）を参照。
【００７９】
本発明の（実施の形態４）の画素信号混色低減装置を図１２に示す。
この構成図は、駆動クロック周期が１画素レートと同一である場合の図である。
【００８０】
補正処理手段７０４のそれ自体の構成は、（実施の形態２）の補正処理手段３０３と同じであって、平均値算出回路７０４ａ，第１の信号切換回路７０４ｂ，第１の漏れ込み信号成分算出回路７０４ｃ，第２の信号切換回路７０４ｄ，第２の漏れ込み信号成分算出回路７０４ｅ，第３の信号切換回路７０４ｆ，減算処理回路７０４ｇは、それぞれ平均値算出回路３０３ａ，第１の信号切換回路３０３ｂ，第１の漏れ込み信号成分算出回路３０３ｃ，第２の信号切換回路３０３ｄ，第２の漏れ込み信号成分算出回路３０３ｅ，第３の信号切換回路７０３ｆ，減算処理回路７０３ｇと同じである。
【００８１】
５０１，５０２，５０３はＤフリップフロップで、補正対象画素信号ライン、補正対象画素信号ラインの上に隣接する画素信号ライン、補正対象画素信号ラインの下に隣接する画素信号ラインをそれぞれ１画素分遅延させた３ラインの画素信号を生成する。
【００８２】
補正処理手段７０４の平均値算出回路７０４ａでは、補正対象画素信号ラインの上に隣接する画素信号ラインを１画素分遅延させて生成した画素信号と補正対象画素信号ラインの下に隣接する画素信号ラインを１画素分遅延させて生成した画素信号を入力させて補正対象画素（この構成図では補正対象画素信号ライン信号を１画素分遅延させて生成した画素信号）の縦方向に隣接する画素信号の平均値を算出する。
【００８３】
第１の信号切換回路７０４ｂでは、ＲＧライン・ＢＧライン判別信号ＣＯ１を切換信号として、ＢＧラインＢ信号のＲＧラインＧ信号側の漏れ込み割合設定値Ｎ５と、ＲＧラインＲ信号のＢＧラインＧ信号側の漏れ込み割合設定値Ｎ６との切り換えを行う。
【００８４】
第１の漏れ込み信号成分算出回路７０４ｃでは、平均値算出回路７０４ａで算出した補正対象画素の縦方向に隣接する画素信号の平均値と第１の信号切換回路７０４ｂから出力したＧ信号側の漏れ込み割合設定値から漏れ込み信号成分を算出する。例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６という構成。
【００８５】
第２の信号切換回路７０４ｄでは、ＲＧライン・ＢＧライン判別信号ＣＯ１を切換信号として、ＢＧラインＧ信号のＲＧラインＲ信号側の漏れ込み割合設定値Ｎ７と、ＲＧラインＧ信号のＢＧラインＢ信号側の漏れ込み割合設定値Ｎ８との切り換えを行う。
【００８６】
第２の漏れ込み信号成分算出回路７０４ｅでは、平均値算出回路７０４ａで算出した補正対象画素の縦方向に隣接する画素信号の平均値と第２の信号切換回路７０４ｄから出力したＲ信号側またはＢ信号側の漏れ込み割合設定値から漏れ込み信号成分を算出する。例えば、漏れ込み割合のレジスタ設定値が８ｂｉｔデータの場合、補正対象画素の縦方向隣接画素信号の平均値と漏れ込み割合のレジスタ設定値を乗算回路で乗算した後ビットシフトダウンで１／２５６という構成。
【００８７】
排他論理和回路７０５ａは、Ｇ信号はＲＧラインかＢＧラインかによって奇数番目の画素信号となるか偶数番目の画素信号となるかが変わるので駆動クロック２分周信号発生回路７０５ｂの出力と、ＲＧライン・ＢＧライン判別信号ＣＯ１との排他論理和をとって、ＲＧライン・ＢＧラインとも１画素分遅延した画素信号がＧ信号のときは‘Ｌ’を、１画素分遅延した画素信号がＲＧラインのＲ信号またはＢＧラインのＢ信号のときは‘Ｈ’、すなわちＧ信号判別信号を出力している。
【００８８】
第３の信号切換回路７０４ｆでは、排他論理和回路７０５ａの出力信号（Ｇ信号判別信号）を切換信号として、ＲＧラインＲ信号のＢＧラインＧ信号側の漏れ込み割合設定値・ＢＧラインＢ信号のＲＧラインＧ信号側の漏れ込み割合設定値（７０４ｂ出力のＲ信号成分またはＢ信号成分のＧ側の漏れ込み割合設定値）とＢＧラインＧ信号のＲＧラインＲ信号側の漏れ込み割合設定値・ＲＧラインＧ信号のＢＧラインＢ信号側の漏れ込み割合設定値（７０４ｄ出力のＧ信号成分のＲ信号側またはＢ信号側の漏れ込み割合設定値）の切り換え（すなわち、Ｇ側の漏れ込み割合設定値とＲ信号側またはＢ信号側の漏れ込み割合設定値をＧ信号判別信号で切換える）を行う。
【００８９】
減算処理回路７０４ｇでは、補正対象画素信号（この構成図では補正対象画素信号ライン信号を１画素分遅延させて生成した画素信号）から第３の信号切換回路７０４ｆの出力のＧ信号の縦方向隣接Ｒ信号またはＢ信号によるＧ信号側の漏れ込み信号成分またはＲ信号またはＢ信号の縦方向隣接Ｇ信号によるＲ信号またはＢ信号側の漏れ込み信号成分を減算する。
【００９０】
従って、補正処理手段７０４は、補正対象画素信号ライン信号を１画素分遅延させて生成した画素信号（補正対象画素信号）から、補正処理手段７０４の内部で算出した縦方向に隣接する画素信号への漏れ込み信号成分を減算する。
【００９１】
飽和非飽和判別回路７０６では、補正対象画素信号ライン信号を１画素分遅延させて生成した画素信号が飽和している場合は‘Ｈ’を出力し、補正対象画素信号ライン信号を１画素分遅延させて生成した画素信号が飽和していないときは‘Ｌ’を出力する。
【００９２】
第４の信号切換回路７０７では、飽和非飽和判別回路７０６の出力信号を切換信号として、切換信号の位相が‘Ｈ’の時は補正対象画素信号ライン信号を１画素分遅延させて生成した画素信号を出力画素信号として出力し、切換信号の位相が‘Ｌ’の時には減算処理回路７０４ｇの出力信号を出力画素信号として出力する。
【００９３】
これにより、飽和時のＲ信号・Ｇ信号・Ｂ信号の場合は補正対象画素信号ライン信号を１画素分遅延させて生成した画素信号を（漏れ込み信号成分減算処理をしない）、非飽和時のＲ信号・Ｂ信号Ｇ信号の場合は漏れ込み信号成分を減算補正した画素信号を出力する。
【００９４】
この構成により、隣接画素信号の縦方向の漏れ込み信号成分によるＲＧラインのＧ信号とＢＧラインのＧ信号の段差およびＲ信号・Ｂ信号のＧ信号成分漏れ込みが低減され、かつＲ信号・Ｇ信号・Ｂ信号飽和部分には漏れ込み信号成分減算処理の弊害は発生しなくなる。
【００９５】
なお、図１２では第３の信号切換回路７０４ｆによって、第１の漏れ込み信号成分算出回路７０４ｃの出力と、第２の漏れ込み信号成分算出回路７０４ｅの出力とを切り換えて、減算処理回路７０４ｇに選択的に減算する補正信号を供給したため、単一の飽和非飽和判別回路７０６で第４の信号切換回路７０７を切り換えて信号漏れ込み低減補正処理の停止を命令するように構成したが、第１の漏れ込み信号成分算出回路７０４ｃの出力に、特定色画素の例えば（Ｇ）信号が飽和レベルに達した場合に、特定色画素信号に対する信号漏れ込み低減補正処理の停止を命令する第１の処理停止命令手段を設け、第２の漏れ込み信号成分算出回路７０４ｅの出力に、特定色以外の画素の例えば（Ｒ，Ｂ）信号が飽和レベルに達した場合に、特定色以外の画素信号に対する隣接画素信号漏れ込み低減補正処理の停止を命令する第２の処理停止命令手段を設けて構成することもできる。
【００９６】
（実施の形態５）
図１３は本発明の（実施の形態５）を示す。補正対象画素信号ラインがＲＧラインの場合、ＢＧラインの場合の補正対象画素の説明図は図１１（ａ），図１１（ｂ）を参照。
【００９７】
本発明の（実施の形態５）の画素信号混色低減装置を図１０に示す。
この構成図は、駆動クロック周期が１画素レートと同一である場合の図である。
【００９８】
１０１，５０２，５０３，１０４はＤフリップフロップで、補正対象画素信号ライン、補正対象画素信号ラインの上に隣接する画素信号ライン、補正対象画素信号ラインの下に隣接する画素信号ラインを、それぞれ１画素分遅延した３ラインの画素信号および補正対象画素信号ラインおよび補正対象画素信号ラインの２画素分遅延した信号を生成する。
【００９９】
第１の補正処理手段９０５は、図１の補正処理手段１０３と同じ構成であり、補正対象ライン信号を１画素分遅延させて生成した画素信号（補正対象画素信号）から、この第１の補正処理手段９０５の内部で算出した横方向に隣接する画素信号への漏れ込み信号成分を減算する。
【０１００】
第２の補正処理手段９０６は、図１０の補正処理手段５０４と同じ構成であり、第１の補正処理手段９０５で処理した画素信号（補正対象画素信号）からさらにこのブロック９０６の内部で算出した縦方向に隣接する画素信号への漏れ込み信号成分を減算する。
【０１０１】
信号切換回路９０８は図１の信号切換回路１０６と同じ構成であり、切換信号を発生する処理停止命令手段９０７は図１の処理停止命令手段１０４と同じ構成である。駆動クロック２分周信号発生回路１０５ａ，排他論理和回路１０５ｂで構成される部分も　図１と同じ構成である。
【０１０２】
従って、処理停止命令手段９０７は、補正対象ライン信号を１画素分遅延させて生成した画素信号（補正対象画素信号）がＲＧラインのＲ信号またはＢＧラインのＢ信号のとき、若しくはＲＧライン・ＢＧラインともＧ信号が飽和時は‘Ｈ’を、それ以外の補正対象ライン信号を１画素分遅延させて生成した画素信号（補正対象画素信号）がＲＧライン・ＢＧラインともＧ信号の時は‘Ｌ’を出力する。信号切換回路９０８は、処理停止命令手段９０７で発生した切換信号の位相が‘Ｈ’の時は補正対象ライン信号を１画素分遅延させて生成した画素信号（補正対象画素信号）を出力し、処理停止命令手段９０７で発生した切換信号の位相が‘Ｌ’の時は、第２の補正処理手段９０６の出力の補正画素信号に切り換えて出力する。
【０１０３】
これにより信号切換回路９０８の出力には、Ｒ信号・Ｂ信号および飽和時のＧ信号の場合は補正対象ライン信号を１画素分遅延させて生成した画素信号（補正対象画素信号）が出力され、非飽和時のＧ信号の場合は漏れ込み信号成分を減算補正した画素信号を出力する。
【０１０４】
この構成により、隣接画素信号の横方向および縦方向の漏れ込み信号成分によるＲＧラインのＧ信号とＢＧラインのＧ信号の段差が低減され、かつＧ信号飽和部分には漏れ込み信号成分減算処理の弊害は発生しなくなる。
【０１０５】
（実施の形態６）
図１４は本発明の（実施の形態６）を示す。補正対象画素信号ラインがＲＧラインの場合、ＢＧラインの場合の補正対象画素の説明図は図１１（ａ），図１１（ｂ）を参照。
【０１０６】
本発明の（実施の形態６）の画素信号混色低減装置を図１４に示す。
この構成図は、駆動クロック周期が１画素レートと同一である場合の図である。
【０１０７】
１０１，１０２，５０２，５０３はＤフリップフロップで、Ｄフリップフロップ１０１，５０２，５０３は、補正対象画素信号ライン、補正対象画素信号ラインの上に隣接する画素信号ライン、補正対象画素信号ラインの下に隣接する画素信号ラインを、それぞれ１画素分遅延した３ラインの画素信号を生成する。Ｄフリップフロップ１０２は、補正対象画素信号ラインおよび補正対象画素信号ラインの２画素分遅延した信号を生成する。
【０１０８】
第１の補正処理手段１１０５は、図９の補正処理手段３０３と同じ構成であり、補正対象ライン信号を１画素分遅延させて生成した画素信号（補正対象画素信号）から、この第１４の補正処理手段１１０５の内部で算出した横方向に隣接する画素信号への漏れ込み信号成分を減算する。
【０１０９】
第２の補正処理手段１１０６は、図１２の補正処理手段７０４と同じ構成であり、第１の補正処理手段１１０５で横方向隣接画素信号漏れ込み減算処理した画素信号（補正対象画素信号）からさらに、この第２の補正処理手段１１０６の内部で算出した縦方向に隣接する画素信号への漏れ込み信号成分を減算する。
【０１１０】
飽和非飽和判別回路１１０７は、図１２の飽和非飽和判別回路７０６と同じ構成で、補正対象ライン信号を１画素分遅延させて生成した画素信号（補正対象画素信号）が飽和時は‘Ｈ’を、補正対象ライン信号を１画素分遅延させて生成した画素信号（補正対象画素信号）が非飽和時は‘Ｌ’を出力する。
【０１１１】
信号切換回路１１０８は、飽和非飽和判別回路１１０７の出力信号を切り換え信号として、飽和非飽和判別回路１１０７で発生した切換信号の位相が‘Ｈ’の時はＤフリップフロップ１０１の出力信号を出力し、飽和非飽和判別回路１１０７で発生した切換信号の位相が‘Ｌ’の時は、第１，第２の補正処理手段１１０５，１１０６によって漏れ込み信号成分を減算補正した補正画素信号に切り換えて出力する。
【０１１２】
これにより、Ｒ信号・Ｂ信号および飽和時のＧ信号の場合は補正対象ライン信号を１画素分遅延させて生成した画素信号（補正対象画素信号）を、非飽和時のＧ信号の場合は漏れ込み信号成分を減算補正した画素信号を出力する。
【０１１３】
この構成により、隣接画素信号の横方向および縦方向の漏れ込み信号成分によるＲＧラインのＧ信号とＢＧラインのＧ信号の段差が低減され、かつ画素信号飽和部分には漏れ込み信号成分減算処理の弊害は発生しなくなる。
【０１１４】
なお、図１４では飽和非飽和判別回路１１０７で発生した切換信号の位相が‘Ｈ’の時はＤフリップフロップ１０１の出力信号を出力し、第１，第２の補正処理手段１１０５，１１０６による補正処理を停止したが、これは図１５に示すようにも構成できる。
【０１１５】
図１５では次の２系統に分割されている。つまり、特定色の横方向の補正を実施する第１の補正処理手段１１０５ａと、この第１の補正処理手段１１０５ａの出力信号を入力として特定色の縦方向の補正を実施する第３の補正処理手段１１０６ａと、第３の補正処理手段１１０６ａの出力またはＤフリップフロップ１０１の出力信号を選択して出力する第１の信号切換回路１１０８ａとで１つの系統が構成され、もう一つの系統は、特定色以外の横方向の補正を実施する第２の補正処理手段１１０５ｂと、この第２の補正処理手段１１０５ｂの出力信号を入力として特定色以外の縦方向の補正を実施する第４の補正処理手段１１０６ｂと、第４の補正処理手段１１０６ｂの出力またはＤフリップフロップ１０１の出力信号を選択して出力する第２の信号切換回路１１０８ｂとで構成されている。
【０１１６】
第１，第２の信号切換回路１１０８ａ，１１０８ｂは飽和非飽和判別回路１１０７の出力で切り換えられ、飽和していない状態では第３の信号切換回路１１０８ｃを介して第３の補正処理手段１１０６ａの出力信号または第４の補正処理手段１１０６ｂが出力画素信号として出力される。
【０１１７】
なお、飽和非飽和判別回路１１０７ａ，１１０７ｂが、特定色画素信号が飽和レベルに達した場合に、特定色画素信号に対する隣接画素信号漏れ込み低減補正処理を停止し、特定色以外の画素信号が飽和レベルに達した場合に、特定色以外の画素信号に対する隣接画素信号漏れ込み低減補正処理を停止する。
【０１１８】
（実施の形態７）
図１６〜図２３は本発明の（実施の形態７）を示す。
本発明の（実施の形態７）の画素信号混色低減装置を図１６に示す。
【０１１９】
この構成図は、駆動クロック周期が１画素レートと同一である場合の図である。画素ムラ補正については信号横漏れの場合について説明する。
Ｄフリップフロップ１０１，５０２，５０３は、補正対象画素信号ライン、補正対象画素信号ラインの上に隣接する画素信号ライン、補正対象画素信号ラインの下に隣接する画素信号ラインをそれぞれ１画素分遅延した３ラインの画素信号ラインを生成する。
【０１２０】
Ｄフリップフロップ１０２，１３０６，１３０７は、補正対象画素信号ライン、補正対象画素信号ラインの上に隣接する画素信号ライン、補正対象画素信号ラインの下に隣接する画素信号ラインを、それぞれ２画素分遅延した３ラインの画素信号ラインを生成する。
【０１２１】
補正処理手段１３０５は、１画素分遅延した画素信号（補正対象画素信号）から、この補正処理手段１３０５の内部で算出した横方向に隣接する画素信号への漏れ込み信号成分を減算する。内部の処理は図１の補正処理手段１０３と同じなので説明は省略する。
【０１２２】
Ｄフリップフロップ１３０６は、補正対象ラインの上に隣接する画素信号ライン信号を１画素分遅延させて補正対象画素の斜め右上の画素信号を、Ｄフリップフロップ１３０７は、補正対象ラインの下に隣接する画素信号ライン信号を１画素分遅延させて補正対象画素の斜め右下の画素信号を生成し、そして補正対象画素信号はＤフリップフロップ１０１で１画素分遅延させていることから、補正対象画素信号ラインの上に隣接する画素信号ライン信号は補正対象画素の斜め左上の画素信号、補正対象画素信号ラインの下に隣接する画素信号ライン信号は補正対象画素の斜め左下の画素信号となる。
【０１２３】
信号切換回路１３１０を切り換える飽和非飽和判別回路１３０８は、第１〜第５の飽和非飽和判別回路１３０８ａ〜１３０８ｅを有している。
第１の飽和非飽和判別回路１３０８ａは、補正対象画素の斜め左上の画素信号が飽和したときに‘Ｈ’を、非飽和のとき‘Ｌ’を出力する。第２の飽和非飽和判別回路１３０８ｂは、補正対象画素の斜め右下の画素信号が飽和したときに‘Ｈ’を、非飽和のとき‘Ｌ’を出力する。第３の飽和非飽和判別回路１３０８ｃは、補正対象画素の斜め左下の画素信号が飽和したときに‘Ｈ’を、非飽和のとき‘Ｌ’を出力する。第４の飽和非飽和判別回路１３０８ｄは、補正対象画素の斜め右上の画素信号が飽和したときに‘Ｈ’を、非飽和のとき‘Ｌ’を出力する。第５の飽和非飽和判別回路１３０８ｅは、補正対象画素が飽和したときに‘Ｈ’を、非飽和のとき‘Ｌ’を出力する。
【０１２４】
論理積回路１３０８ｆは、第１の飽和非飽和判別回路１３０８ａの出力と第２の飽和非飽和判別回路１３０８ｂの出力との論理積を検出する。
論理積回路１３０８ｇは、第３の飽和非飽和判別回路１３０８ｃの出力と第４の飽和非飽和判別回路１３０８ｄの出力との論理積を検出する。
【０１２５】
論理積回路１３０８ｈは、論理積回路１３０８ｆの出力と論理積回路１３０８ｇの出力との論理積を検出する。
論理積回路１３０８ｉは、論理積回路１３０８ｈの出力と第５の飽和非飽和判別回路１３０８ｅの出力との論理積を検出する。この論理積回路１３０８ｉの出力は論理和回路１３０９を介して信号切換回路１３１０の切換信号となっている。
【０１２６】
すなわち、飽和非飽和判別回路１３０８は、補正対象画素の斜め左上の画素信号・補正対象画素の斜め右下の画素信号・補正対象画素の斜め左下の画素信号・補正対象画素の斜め左下の画素信号そして補正対象画素信号の飽和非飽和判別回路で、補正対象画素の斜め左上の画素信号・補正対象画素の斜め右下の画素信号・補正対象画素の斜め左下の画素信号・補正対象画素の斜め左下の画素信号そして補正対象画素信号が同時に飽和した場合に‘Ｈ’を出力、それ以外の場合は‘Ｌ’を出力する。
【０１２７】
３０４ｂは駆動クロック２分周信号発生回路、３０４ａは排他論理和回路で、Ｇ信号はＲＧラインかＢＧラインかによって奇数番目の画素信号となるか偶数番目の画素信号となるかが変わるので駆動クロック２分周信号とＲＧライン・ＢＧライン判別信号の排他論理和をとってＲＧライン・ＢＧラインとも補正対象画素信号がＧ信号のときは‘Ｌ’を、補正対象画素信号がＲＧラインのＲ信号またはＢＧラインのＢ信号のときは‘Ｈ’の、すなわちＧ信号判別信号を出力し、論理和回路１３０９は補正対象画素信号がＲＧラインのＲ信号またはＢＧラインのＢ信号のとき若しくは論理積回路１３０８ｉの出力が‘Ｈ’のときは‘Ｈ’を、それ以外の場合、すなわち補正対象画素信号がＲＧライン・ＢＧラインともＧ信号でかつ論理積回路１３０８ｉの出力が‘Ｈ’の時は‘Ｌ’を出力するように、Ｇ信号判別信号との論理和を検出する。
【０１２８】
従って、この論理和回路１３０９の出力には、補正対象画素信号がＲＧラインのＲ信号またはＢＧラインのＢ信号のとき、若しくはＲＧライン・ＢＧラインともＧ信号が飽和時でかつ補正対象Ｇ信号（補正対象画素信号）隣接斜め右上、隣接斜め右下、隣接斜め左下、隣接斜め左上のＧ信号も飽和している場合は‘Ｈ’を、補正対象画素信号のＧ信号が非飽和時若しくはＧ信号が飽和時かつ隣接斜め右上、隣接斜め右下、隣接斜め左下、隣接斜め左上のＧ信号すべてが飽和していないときは‘Ｌ’を出力する。
【０１２９】
信号切換回路１３１０は、論理和回路１３０９の出力の位相が‘Ｈ’の時は１画素分遅延した補正対象ラインの画素信号に、論理和回路１３０９の出力の位相が‘Ｌ’の時は補正処理手段１３０５で１画素分遅延した画素信号から漏れ込み信号成分を減算補正した補正画素信号に切り換えて出力画素信号を出力する。
【０１３０】
これにより、Ｒ信号・Ｂ信号またはＧ信号飽和時かつＧ信号隣接斜め右上、隣接斜め右下、隣接斜め左下、隣接斜め左上のＧ信号の全てが飽和時には１画素分遅延した補正対象ライン画素信号を、Ｇ信号非飽和時もしくはＧ信号飽和時かつＧ信号隣接斜め右上、隣接斜め右下、隣接斜め左下、隣接斜め左上のＧ信号の全てが飽和していない場合には漏れ込み信号成分を減算補正した画素信号を出力する。
【０１３１】
図１６のように構成された画素信号混色低減装置の動作について図１８〜図２３を用いて説明する。
図１９のような３原色カラーフィルタ配列（ベイヤー配列）の撮像素子で図１８のような被写体を撮像したとき、本来の理想的な撮像素子出力を、図２０に示す。
【０１３２】
図１８〜図２３では、撮像素子出力を１０ｂｉｔデータを十進数という形式で示し、説明を簡単にするため、例えば、無彩色撮像時は
Ｒ信号レベル　＝　Ｇ信号レベル　＝　Ｂ信号レベル
というように色バランスがとれた理想的な信号としている。
【０１３３】
例えば、Ｒ信号の１／３２の信号成分が横方向に隣接するＧ信号側に、Ｇ信号の１／１６の信号成分が横方向に隣接するＲ信号側またはＢ信号側に、Ｂ信号の１／６４の信号成分が横方向に隣接するＧ信号側に漏れ込んだときの信号データを図２１に示す。
【０１３４】
特に問題となるのは、Ｇ信号が飽和していないときはＲＧラインのＧ信号とＢＧラインのＧ信号の段差であるが（Ｇ信号飽和時は、隣接画素信号の漏れ込みがあっても飽和レベル以上になることはありえないのＲＧラインのＧ信号とＢＧラインのＧ信号の段差は発生しない）、この（実施の形態７）の画素信号混色低減装置の漏れ込み信号成分減算処理ブロック（図１６の１３０５）で、例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６という構成の場合、ＲＧラインＲ信号のＧ信号側の漏れ込み割合レジスタ設定値を８（８／２５６＝１／３２）・ＢＧラインＢ信号のＧ信号側の漏れ込み割合レジスタ設定値を４（４／２５６）とした場合、ＲＧラインＧ信号からＲＧラインＧ信号の横方向隣接のＲ信号の１／３２の信号成分をＢＧラインＧ信号からＢＧラインＧ信号の横方向隣接のＢ信号の１／６４の信号成分を減算していることになり、その処理結果を図２２に示す。Ｇ信号が飽和していないときは、ＲＧラインのＧ信号とＢＧラインのＧ信号の段差は解消するが、Ｇ信号が飽和しているときは、上記Ｇ信号側の漏れ込み信号成分減算処理の弊害があらわれ、Ｇ信号飽和部分にはなかったＲＧラインのＧ信号とＢＧラインのＧ信号の段差が発生する。
【０１３５】
また、図１８〜図２３のようにＲＧラインのＧ信号、ＢＧラインのＧ信号のうちＲＧラインのＧ信号の方だけ飽和した場合（Ｒ信号成分の隣接Ｇ信号側の漏れ込み量が、Ｂ信号成分の隣接Ｇ信号側の漏れ込み量より多い場合）、前記の（実施の形態１）〜（実施の形態６）のような構成の画素信号混色低減装置ではＧ信号飽和時は信号漏れ込み補正を行わないので、ＲＧラインのＧ信号については補正を行わず、ＢＧラインのＧ信号についてだけ信号漏れ込み補正を行うことになるので、かえってＲＧラインのＧ信号とＢＧラインのＧ信号の段差が発生する。
【０１３６】
そこでさらに、この（実施の形態７）の画素信号混色低減装置では、飽和非飽和判別回路１３０８によって、補正対象Ｇ信号が飽和しているとき、補正対象Ｇ信号の斜め右上、斜め右下、斜め左上、斜め左下が飽和しているかどうかを判別して補正対象Ｇ信号飽和時に補正対象Ｇ信号の斜め右上、斜め右下、斜め左上、斜め左下が飽和している場合（ＲＧラインのＧ信号もＢＧラインＧ信号もともに飽和している場合は、信号切換回路１３１０を切り換えて、漏れ込み信号成分減算処理をしていない画素信号を選択して出力させ、補正対象Ｇ信号が飽和していない場合かもしくは補正対象Ｇ信号が飽和の場合でも補正対象Ｇ信号の斜め右上、斜め右下、斜め左上、斜め左下が飽和していない場合には漏れ込み信号成分減算処理を行った画素信号を選択して出力させる。
【０１３７】
その結果、図２３に示すようにＧ信号が飽和していない場合は、隣接画素信号の漏れ込み信号成分によるＲＧラインのＧ信号とＢＧラインのＧ信号の段差が低減され、かつＧ信号が飽和した場合（ＲＧラインのＧ信号、ＢＧラインのＧ信号もともに飽和）またはＲＧラインのＧ信号、ＢＧラインのＧ信号のうちＲＧラインのＧ信号の方だけ飽和した場合に、漏れ込み信号成分減算処理の弊害が発生しなくなる。
【０１３８】
なお、この（実施の形態７）では飽和非飽和判別回路１３０８を、（実施の形態１）に実施して、補正対象特定色画素信号レベル飽和かつ補正対象特定色画素信号の斜め右上、斜め右下、斜め左上、斜め左下に隣接する補正対象周辺特定色画素信号レベル飽和時は、補正対象特定色画素信号に対する隣接画素信号漏れ込み補正処理を停止する場合を例に挙げて説明したが、（実施の形態２）〜（実施の形態６）においても同様に飽和非飽和判別回路１３０８を設けることによって画質ムラの改善を期待できる。
【０１３９】
（実施の形態８）
図２４は本発明の（実施の形態８）を示す。補正対象画素信号ラインがＲＧラインの場合の補正対象画素の説明図は図１７を参照。
【０１４０】
図２４は本発明の（実施の形態８）の画素信号混色低減装置を示し、（実施の形態７）の飽和非飽和判別回路１３０８の論理積回路１３０８ｈを論理和回路１５０８ｈに変更して飽和非飽和判別回路１５０８とした点だけが異なっている。
【０１４１】
この構成によると、隣接画素信号の漏れ込み信号成分によるＲＧラインのＧ信号とＢＧラインのＧ信号の段差が低減され、かつＧ信号が飽和した場合（ＲＧラインのＧ信号、ＢＧラインのＧ信号もともに飽和）またはＲＧラインのＧ信号、ＢＧラインのＧ信号のうちＲＧラインのＧ信号の方だけ飽和した場合に漏れ込み信号成分減算処理の弊害が発生しなくなる。
【０１４２】
なお、この（実施の形態８）では飽和非飽和判別回路１５０８を、（実施の形態１）に実施して、補正対象特定色画素信号レベル飽和かつ補正対象特定色画素信号の斜め右上と斜め左下に隣接する補正対象周辺特定色画素信号レベル飽和時、または補正対象特定色画素信号レベル飽和かつ補正対象特定色画素信号の斜め右下と斜め左上に隣接する補正対象周辺特定色画素信号レベル飽和時、または補正対象特定色画素信号レベル飽和時かつ補正対象特定色画素信号の斜め右上、斜め右下、斜め左上、斜め左下に隣接する補正対象周辺特定色画素信号レベル飽和時は、特定色画素信号に対する隣接画素信号漏れ込み低減補正処理を停止する場合を例に挙げて説明したが、（実施の形態２）〜（実施の形態６）においても同様に飽和非飽和判別回路１５０８を設けることによって画質ムラの改善を期待できる。
【０１４３】
（実施の形態９）
図２５〜図３１は、本発明の（実施の形態９）を示す。補正対象画素信号ラインがＲＧラインの場合の補正対象画素の説明図は図１７を参照。
【０１４４】
本発明の（実施の形態９）の画素信号混色低減装置を図２５に示す。
この構成図は、駆動クロック周期が１画素レートと同一である場合の図である。画素ムラ補正については信号横漏れの場合について説明する。
【０１４５】
１７０１，１７０２，１７０３，１７０６，１７０７，１７１２，１７１３はＤフリップフロップである。Ｄフリップフロップ１７０１，１７０６，１７１２は、補正対象画素信号ライン、補正対象画素信号ラインの上に隣接する画素信号ライン、補正対象画素信号ラインの下に隣接する画素信号ラインをそれぞれ１画素分遅延した３ラインの画素信号ラインを生成する。
【０１４６】
Ｄフリップフロップ１７０２，１７０７，１７１３は、補正対象画素信号ライン、補正対象画素信号ラインの上に隣接する画素信号ライン、補正対象画素信号ラインの下に隣接する画素信号ラインをそれぞれ２画素分遅延した３ラインの画素信号ラインを生成する。
【０１４７】
Ｄフリップフロップ１７０３は、補正対象画素信号ライン信号を３画素分遅延した画素信号を生成する。
１７０４，１７０８，１７１４は補正処理手段で、内部の処理は図１の補正処理手段１０３と同じである。
【０１４８】
補正処理手段１７０４は、横方向漏れ込み信号成分減算処理ブロックとして、１画素分遅延した画素信号（補正対象ライン画素信号）から、この補正処理手段１７０４の内部で算出した横方向に隣接する画素信号への漏れ込み信号成分を減算する。
【０１４９】
補正処理手段１７０８，１７１４も１７０４と同じ構成の横方向漏れ込み信号成分減算処理ブロックで、補正処理手段１７０８の方は補正対象ライン信号の上に隣接する画素信号ラインの信号に対する横方向漏れ込み信号成分減算処理、補正処理手段１７１４は補正対象ライン信号の下に隣接する画素信号ラインの信号に対する横方向漏れ込み信号成分減算処理を行う。
【０１５０】
図２５から分かるように補正処理手段１７０４に入力する画素信号は、補正処理手段１７０８，１７１４に入力する画素信号より１画素分遅延量が多いので、補正処理手段１７０４で補正対象Ｇ信号の横方向漏れ込み信号成分減算処理が行われているときは、補正処理手段１７０８は補正対象Ｇ信号の上に隣接する画素信号ラインの補正対象Ｇ信号の１画素分あとの画素信号の横方向漏れ込み信号成分減算処理、すなわち、補正対象Ｇ信号の斜め左上のＧ信号の横方向漏れ込み信号成分減算処理、同様に補正処理手段１７１４は補正対象Ｇ信号の斜め左下のＧ信号の横方向漏れ込み信号成分減算処理を行うことになる。
【０１５１】
従って、補正処理手段１７０８の出力にＤフリップフロップ１７１０，１７１１を通して得られた信号は補正対象Ｇ信号の斜め右上のＧ信号の横方向漏れ込み信号成分減算処理の結果である。補正処理手段１７１４の出力にＤフリップフロップ１７１５，１７１６を通して得られた信号は補正対象Ｇ信号の斜め右下のＧ信号の横方向漏れ込み信号成分減算処理の結果である。
【０１５２】
１７０５は補正対象画素（補正対象Ｇ信号）の飽和非飽和判別回路で、補正対象画素飽和時は‘Ｈ’を補正対象画素非飽和時は‘Ｌ’を出力する。
１７１７は平均値算出回路で、補正対象画素信号の斜め右上、斜め右下、斜め左上、斜め左下の画素信号（Ｇ信号）の横方向漏れ込み信号成分減算処理結果の平均値を算出する。
【０１５３】
１７１８は大小比較回路で、補正対象画素（補正対象Ｇ信号）の横方向漏れ込み信号成分減算処理結果と補正対象画素信号の斜め右上、斜め右下、斜め左上、斜め左下の画素信号（補正対象Ｇ信号の斜め右上、斜め右下、斜め左上、斜め左下のＧ信号）の横方向漏れ込み信号成分減算処理の結果の平均値の大小を比較し、補正対象画素の横方向漏れ込み信号成分減算処理結果が補正対象画素信号の斜め右上、斜め右下、斜め左上、斜め左下の画素信号の横方向漏れ込み信号成分減算処理結果平均値よりも小さいときは‘Ｈ’を、補正対象画素の横方向漏れ込み信号成分減算処理結果が補正対象画素信号の斜め右上、斜め右下、斜め左上、斜め左下の画素信号の横方向漏れ込み信号成分減算処理結果平均値よりも大きいときは‘Ｌ’を出力する。
【０１５４】
論理積回路１７１９は飽和非飽和判別回路１７０５の出力と大小比較回路１７１８の出力との論理積を出力する。
論理積回路１７１９の出力を選択信号とした信号切換回路１７２０は、補正対象画素の横方向漏れ込み信号成分減算処理結果と補正対象画素信号の斜め右上、斜め右下、斜め左上、斜め左下の画素信号の横方向漏れ込み信号成分減算処理結果平均値を切り換えて出力する。
【０１５５】
すなわち、補正対象画素飽和時かつ補正対象画素の横方向漏れ込み信号成分減算処理結果が補正対象画素信号の斜め右上、斜め右下、斜め左上、斜め左下の画素信号の横方向漏れ込み信号成分減算処理結果平均値よりも小さいときは選択信号は‘Ｈ’となり、補正対象画素信号の斜め右上、斜め右下、斜め左上、斜め左下の画素信号の横方向漏れ込み信号成分減算処理結果平均値を選択して出力し、補正対象画素非飽和時もしくは補正対象画素飽和時かつ補正対象画素の横方向漏れ込み信号成分減算処理結果が補正対象画素信号の斜め右上、斜め右下、斜め左上、斜め左下の画素信号の横方向漏れ込み信号成分減算処理結果平均値よりも大きいときは選択信号は‘Ｌ’となり、補正対象画素の横方向漏れ込み信号成分減算処理結果を選択出力する。
【０１５６】
１７０９は飽和非飽和判別回路で、補正対象ライン（補正対象画素）の上に隣接する画素信号を１画素分遅延した画素信号（補正対象Ｇ信号の斜め左上Ｇ信号）を判別して、飽和時は‘Ｈ’、非飽和時は‘Ｌ’という判別結果を出力する。
【０１５７】
さらに、飽和非飽和判別回路１７０９の出力を２段のＤフリップフロップ１７２１，１７２２を通して補正対象Ｇ信号の斜め右上Ｇ信号についての飽和非飽和判別結果を得る。
【０１５８】
１７２３は飽和非飽和判別回路で、補正対象ライン（補正対象画素）の下に隣接する画素信号の１画素分遅延した画素信号（補正対象Ｇ信号の斜め左下Ｇ信号）を判別して、飽和時は‘Ｈ’、非飽和時は‘Ｌ’という判別結果を出力する。
【０１５９】
さらに、飽和非飽和判別回路１７２３の出力を２段のＤフリップフロップ１７２４，１７２５を通して補正対象Ｇ信号の斜め右下Ｇ信号についての飽和非飽和判別結果を得る。
【０１６０】
論理積回路１７２６は、飽和非飽和判別回路１７０９の出力とＤフリップフロップ１７２２の出力との論理積を検出する。
論理積回路１７２７は、飽和非飽和判別回路１７２３の出力とＤフリップフロップ１７２５の出力との論理積を検出する。
【０１６１】
論理積回路１７２８は、論理積回路１７２６，１７２７の出力の論理積を検出する。つまり、補正対象画素（補正対象Ｇ信号）の斜め右上、斜め右下、斜め左上、斜め左下の画素信号（補正対象Ｇ信号の斜め右上、斜め右下、斜め左上、斜め左下のＧ信号）が全て飽和したときは、‘Ｈ’を、補正対象画素の斜め右上、斜め右下、斜め左上、斜め左下の画素信号非飽和時または補正対象画素の斜め右上、斜め右下、斜め左上、斜め左下が全て飽和していないときは‘Ｌ’を出力する。
【０１６２】
論理積回路１７２９は、論理積回路１７２８の出力と飽和非飽和判別回路１７０５の出力との論理積を検出する。つまり、補正対象画素の斜め右上、斜め右下、斜め左上、斜め左下の画素信号が飽和かつ補正対象画素飽和時のみ出力が‘Ｈ’、それ以外の場合は‘Ｌ’を出力する。
【０１６３】
１７３０はＧ信号判別信号発生回路で、Ｇ信号のときは‘Ｌ’、Ｒ信号またはＢ信号のときは‘Ｈ’を出力する。なお、内部回路は図１の処理停止命令手段１０４と駆動クロック２分周信号発生回路１０５ａおよび排他的論理和回路１０５ｂとで同様に構成されている。
【０１６４】
論理和回路１７３１は、Ｇ信号判別信号発生回路１７３０の出力と論理積回路１７２９の出力との論理和を検出する。
論理和回路１７３１の出力を切換信号とした信号切換回路１７３２は、Ｒ信号・Ｂ信号またはＧ信号飽和時かつＧ信号隣接斜め右上、隣接斜め右下、隣接斜め左下、隣接斜め左上のＧ信号全てが飽和時には１画素分遅延した補正対象ライン画素信号を出力、Ｇ信号飽和時かつＧ信号漏れ込み信号成分減算補正結果よりＧ信号隣接斜め右上、隣接斜め右下、隣接斜め左下、隣接斜め左上のＧ信号の信号成分減算補正結果のほうが大きいときは補正対象Ｇ信号漏れ込み信号成分減算補正結果と補正対象Ｇ信号隣接斜め右上、隣接斜め右下、隣接斜め左下、隣接斜め左上のＧ信号の信号成分減算補正結果の信号差が無くなるように補正対象Ｇ信号漏れ込み信号成分減算補正結果を補正対象Ｇ信号隣接斜め右上、隣接斜め右下、隣接斜め左下、隣接斜め左上のＧ信号の信号成分減算補正結果にすげかえて出力し、Ｇ信号非飽和時もしくはＧ信号飽和時かつＧ信号漏れ込み信号成分減算補正結果よりＧ信号隣接斜め右上、隣接斜め右下、隣接斜め左下、隣接斜め左上のＧ信号の信号成分減算補正結果のほうが小さいときは、補正対象Ｇ信号漏れ込み信号成分減算補正結果を出力する。
【０１６５】
図２５のように構成された画素信号混色低減装置の動作について、図２６〜図３１を用いて説明する。
図２７のような３原色カラーフィルタ配列（ベイヤー配列）の撮像素子で図２６のような被写体を撮像したとき、本来の理想的な撮像素子出力を、図２８に示す。図２６〜図３１では、撮像素子出力を１０ｂｉｔデータを十進数という形式で示し、説明を簡単にするため、例えば、無彩色撮像時は
Ｒ信号レベル　＝　Ｇ信号レベル　＝　Ｂ信号レベル
というように色バランスがとれた理想的な信号としている。
【０１６６】
例えば、Ｒ信号の１／３２の信号成分が横方向に隣接するＧ信号側に、Ｇ信号の１／１６の信号成分が横方向に隣接するＲ信号側またはＢ信号側に、Ｂ信号の１／６４の信号成分が横方向に隣接するＧ信号側に漏れ込んだときの信号データを図２９に示す。
【０１６７】
特に問題となるのは、Ｇ信号が飽和していないときはＲＧラインのＧ信号とＢＧラインのＧ信号の段差であるが（Ｇ信号飽和時は、隣接画素信号の漏れ込みがあっても飽和レベル以上になることはありえないのＲＧラインのＧ信号とＢＧラインのＧ信号の段差は発生しない）、この（実施の形態９）の画素信号混色低減装置の漏れ込み信号成分減算処理ブロック（図２５の１７０４，１７０８，１７１４）で、例えば、漏れ込み割合のレジスタ設定値が８ｂｉｔデータの場合、補正対象画素の横方向隣接画素信号の平均値と漏れ込み割合のレジスタ設定値を乗算回路で乗算した後ビットシフトダウンで１／２５６という構成の場合、ＲＧラインＲ信号のＧ信号側の漏れ込み割合レジスタ設定値を８（８／２５６＝１／３２）・ＢＧラインＢ信号のＧ信号側の漏れ込み割合レジスタ設定値を４（４／２５６）とした場合、ＲＧラインＧ信号からＲＧラインＧ信号の横方向隣接のＲ信号の１／３２の信号成分をＢＧラインＧ信号からＢＧラインＧ信号の横方向隣接のＢ信号の１／６４の信号成分を減算していることになり、その処理結果を図３０に示す。Ｇ信号が飽和していないときは、ＲＧラインのＧ信号とＢＧラインのＧ信号の段差は解消するが、Ｇ信号が飽和しているときは、上記Ｇ信号側の漏れ込み信号成分減算処理の弊害があらわれ、Ｇ信号飽和部分にはなかったＲＧラインのＧ信号とＢＧラインのＧ信号の段差が発生する。
【０１６８】
また、図２６〜図３１のようにＲＧラインのＧ信号、ＢＧラインのＧ信号のうちＲＧラインのＧ信号の方だけ飽和した場合（Ｒ信号成分の隣接Ｇ信号側の漏れ込み量が、Ｂ信号成分の隣接Ｇ信号側の漏れ込み量より多い場合）、本発明の（実施の形態１）〜（実施の形態６）のような構成の画素信号混色低減装置では、Ｇ信号飽和時は信号漏れ込み補正を行わないので、ＲＧラインのＧ信号については補正を行わず、ＢＧラインのＧ信号についてだけ信号漏れ込み補正を行うことになるので、かえってＲＧラインのＧ信号とＢＧラインのＧ信号の段差が発生する。
【０１６９】
そこでさらに、この（実施の形態９）の画素信号混色低減装置では図２５の論理積回路１７２９で、補正対象Ｇ信号が飽和しているとき、補正対象Ｇ信号の斜め右上、斜め右下、斜め左上、斜め左下が飽和しているかどうかを判別して補正対象Ｇ信号飽和時に補正対象Ｇ信号の斜め右上、斜め右下、斜め左上、斜め左下が飽和している場合（ＲＧラインのＧ信号もＢＧラインＧ信号もともに飽和している場合は信号切換回路１７３２で漏れ込み信号成分減算処理をしていない画素信号選択出力し、補正対象Ｇ信号が飽和していない場合かもしくは補正対象Ｇ信号が飽和の場合でも補正対象Ｇ信号の斜め右上、斜め右下、斜め左上、斜め左下が飽和していない場合には１７３２で漏れ込み信号成分減算処理を行った画素信号を選択出力する。以上の構成は前記の（実施の形態７）の構成と同じである。
【０１７０】
さらに、ＲＧラインのＧ信号、ＢＧラインのＧ信号のうちＲＧラインのＧ信号の方だけ飽和した場合（Ｒ信号成分の隣接Ｇ信号側の漏れ込み量が、Ｂ信号成分の隣接Ｇ信号側の漏れ込み量より多い場合）のＧ信号側の漏れ込み信号成分減算処理の弊害を軽減するために、補正対象Ｇ信号飽和時かつ補正対象Ｇ信号の斜め左上、斜め左下、斜め右上、斜め右下隣接Ｇ信号が飽和していないときに、図２５の大小比較回路１７１８で補正対象ＧのＧ信号側の漏れ込み信号成分減算処理結果と補正対象Ｇ信号の斜め左上、斜め左下、斜め右上、斜め右下隣接Ｇ信号のＧ信号側の漏れ込み信号成分減算の処理結果を大小比較して、補正対象ＧのＧ信号側の漏れ込み信号成分減算の処理結果が大きい場合は補正対象ＧのＧ信号側の漏れ込み信号成分減算の処理結果を出力、補正対象Ｇ信号のＧ信号側の漏れ込み信号成分減算の処理結果が小さい場合は補正対象ＧのＧ信号側の漏れ込み信号成分減算の処理結果と補正対象Ｇ信号の斜め左上、斜め左下、斜め右上、斜め右下隣接Ｇ信号のＧ信号側の漏れ込み信号成分減算の処理結果の信号レベル差をなくするために図２５の構成図では補正対象Ｇ信号の補正結果として、補正対象Ｇ信号の斜め左上、斜め左下、斜め右上、斜め右下隣接Ｇ信号のＧ信号側の漏れ込み信号成分減算の処理結果にすげかえて出力する。
【０１７１】
その結果、図３１に示すようにＧ信号が飽和していない場合は隣接画素信号の漏れ込み信号成分によるＲＧラインのＧ信号とＢＧラインのＧ信号の段差が低減され、かつＧ信号が飽和した場合（ＲＧラインのＧ信号、ＢＧラインのＧ信号もともに飽和）またはＲＧラインのＧ信号、ＢＧラインのＧ信号のうちＲＧラインのＧ信号の方だけ飽和した場合に漏れ込み信号成分減算処理の弊害が発生しなくなる。
【０１７２】
なお、この（実施の形態９）では、１７１０，１７１１，１７１５，１７１６，１７１７，１７１８，１７２０などで、補正対象の特定色画素信号レベル飽和時かつ補正対象特定色画素信号の斜め右上、斜め右下、斜め左上、斜め左下に隣接する補正対象周辺特定色画素信号レベルが飽和していない場合であって、補正対象特定色画素信号について隣接画素信号漏れ込み低減補正処理して得られた補正処理後の補正対象特定色の画素信号の信号レベルが、補正対象特定色画素信号の斜め右上、斜め右下、斜め左上、斜め左下に隣接する補正対象周辺特定色画素信号について隣接画素信号漏れ込み低減補正処理して得られた補正処理後の補正対象周辺特定色画素信号の信号レベルよりも小さい場合は、補正対象特定色の画素信号の信号レベルを補正処理後の補正対象周辺特定色画素信号の信号レベルと同じにするレベル調節手段１７３３が構成されている。
【０１７３】
また、１７０５，１７０９，１７２１，１７２２，１７２３，１７２４，１７２５，１７２６，１７２７，１７２８，１７２９，１７３０，１７３１などで、補正対象特定色画素信号レベル飽和時かつ補正対象特定色画素信号の斜め右上、斜め右下、斜め左上、斜め左下に隣接する補正対象周辺の特定色画素信号レベル飽和時は、補正対象特定色画素信号に対する隣接画素信号漏れ込み低減処理を停止を命令する処理停止命令手段１７３４が構成されている。
【０１７４】
なお、この（実施の形態９）ではレベル調節手段１７３３と処理停止命令手段１７３４などを（実施の形態１）に実施した場合を例に挙げて説明したが、（実施の形態２）〜（実施の形態６）においても同様にレベル調節手段１７３３と処理停止命令手段１７３４を設けることによって画質ムラの改善を期待できる。
【０１７５】
（実施の形態１０）
図３２は本発明の（実施の形態１０）を示す。補正対象画素信号ラインがＲＧラインの場合、ＢＧラインの場合の補正対象画素の説明図は図１７を参照。
【０１７６】
図３２の構成図は、駆動クロック周期が１画素レートと同一である場合の図である。画素ムラ補正については信号横漏れの場合について説明する。図２５と同じものには同一の符号を付けて説明する。
【０１７７】
１９１８は平均値算出回路で、補正対象画素信号の斜め右下、斜め左上に隣接する補正対象周辺画素信号（Ｇ信号）の横方向漏れ込み信号成分減算の処理結果の平均値を算出する。
【０１７８】
１９１９は平均値算出回路で、補正対象画素信号の斜め右上、斜め左下に隣接する補正対象周辺画素信号（Ｇ信号）の横方向漏れ込み信号成分減算の処理結果の平均値を算出する。
【０１７９】
１９２０は大小比較回路で、補正対象画素（補正対象Ｇ信号）の横方向漏れ込み信号成分減算の処理結果と補正対象画素信号の斜め右下、斜め左上に隣接する補正対象周辺画素信号（補正対象Ｇ信号の斜め右下、斜め左上のＧ信号）の横方向漏れ込み信号成分減算の処理結果平均値を比較し、補正対象画素の横方向漏れ込み信号成分減算の処理結果が補正対象画素信号の斜め右下、斜め左上に隣接する補正対象周辺画素信号の横方向漏れ込み信号成分減算の処理結果平均値よりも小さいときは‘Ｈ’を、補正対象画素の横方向漏れ込み信号成分減算の処理結果が補正対象画素信号の斜め右下、斜め左上に隣接する補正対象周辺画素信号の横方向漏れ込み信号成分減算の処理結果平均値よりも大きいときは‘Ｌ’を出力する。
【０１８０】
１９２１は大小比較回路で、補正対象画素（補正対象Ｇ信号）の横方向漏れ込み信号成分減算の処理結果と補正対象画素信号の斜め右上、斜め左下に隣接する補正対象周辺画素信号（補正対象Ｇ信号の斜め右上、斜め左下のＧ信号）の横方向漏れ込み信号成分減算の処理結果平均値を比較し、補正対象画素の横方向漏れ込み信号成分減算の処理結果が補正対象画素信号の斜め右上、斜め左下に隣接する補正対象周辺画素信号の横方向漏れ込み信号成分減算の処理結果平均値よりも小さいときは‘Ｈ’を、補正対象画素の横方向漏れ込み信号成分減算の処理結果が補正対象画素信号の斜め右上、斜め左下に隣接する補正対象周辺画素信号の横方向漏れ込み信号成分減算の処理結果平均値よりも大きいときは‘Ｌ’を出力する。
【０１８１】
この（実施の形態１０）では、平均値算出回路１９１８と大小比較回路１９２０とで第１のレベル調節手段が構成されており、平均値算出回路１９１９と大小比較回路１９２１とで第２のレベル調節手段が構成されている。
【０１８２】
また、この（実施の形態１０）では、（実施の形態９）を示す図２５における処理停止命令手段１７３４に相当する処理停止命令手段が、１９３４，１９３５，１９３６，１９３８，１７３０，１７３１によって構成されている。
【０１８３】
１９２２は大小比較回路１９２０の出力信号を切換信号とした信号切換回路で、大小比較回路１９２０の出力信号が‘Ｈ’のときには平均値算出回路１９１８の出力信号を選択して出力し、大小比較回路１９２０の出力信号が‘Ｌ’のときには平均値算出回路１９１９の出力信号を選択して出力する。
【０１８４】
論理積回路１９２３は、大小比較回路１９２０の出力信号と大小比較回路１９２１の出力信号との論理積を検出する。つまり、大小比較回路１９２０の出力信号及び大小比較回路１９２１の出力信号がともに‘Ｈ’の場合は‘Ｈ’を出力、それ以外の場合は‘Ｌ’を出力する。
【０１８５】
論理積回路１９２３の出力信号を切換信号とした信号切換回路１９２４は、論理積回路１９２３の出力信号が‘Ｈ’のときは、平均値算出回路１９１７の出力信号を選択して出力し、平均値算出回路１９２３の出力信号が‘Ｌ’のときは信号切換回路１９２２の出力信号を選択して出力する。
【０１８６】
論理和回路１９２５は、大小比較回路１９２０の出力信号と大小比較回路１９２１の出力信号の論理和検出する。つまり、大小比較回路１９２０の出力信号及び大小比較回路１９２１の出力信号がともに‘Ｈ’または大小比較回路１９２０の出力信号と大小比較回路１９２１の出力信号のうちいずれか一方が‘Ｈ’の場合は‘Ｈ’を出力、大小比較回路１９２０の出力信号及び大小比較回路１９２１の出力信号がともに‘Ｌ’の場合は‘Ｌ’を出力する。
【０１８７】
ここで論理積回路１７１９は、論理和回路１９２５の出力と飽和非飽和判別回路１７０５の出力との論理積を検出する（１９２５の出力信号及び１９０５の出力信号がともに‘Ｈ’の場合は‘Ｈ’を出力、それ以外の場合は‘Ｌ’を出力）。
【０１８８】
論理積回路１７１９の出力信号を切換信号とした大小比較回路１９２０は、論理積回路１７１９の出力信号が‘Ｈ’のときは、信号切換回路１９２４の出力信号を選択して出力し、論理積回路１７１９の出力信号が‘Ｌ’のときは、補正処理手段１７０４の出力信号を選択して出力する。
【０１８９】
論理積回路１９３４は、Ｄフリップフロップ１７２２の出力信号と飽和非飽和判別回路１７２３の出力信号の論理積を検出する（１７２２の出力信号及び１７２３の出力信号がともに‘Ｈ’の場合は‘Ｈ’を出力、それ以外の場合は‘Ｌ’を出力）。
【０１９０】
論理積回路１９３５は、飽和非飽和判別回路１７０９の出力信号とＤフリップフロップ１７２５の出力信号の論理積を検出する（１７０９の出力信号及び１７２５の出力信号がともに‘Ｈ’の場合は‘Ｈ’を出力、それ以外の場合は‘Ｌ’を出力）。
【０１９１】
論理和回路１９３６は論理積回路１９３４，１９３５の出力信号の論理和を検出する（１９３４の出力信号及び１９３５の出力信号がともに‘Ｈ’または１９３４の出力信号と１９３５の出力信号のうちいずれか一方が‘Ｈ’の場合は‘Ｈ’を出力、１９３４の出力信号及び１９３５の出力信号がともに‘Ｌ’の場合は‘Ｌ’を出力）。
【０１９２】
論理積回路１９３８は、論理和回路１９３６の出力信号と飽和非飽和判別回路１７０５の出力信号の論理積を検出する（１９３６の出力信号及び１７０５の出力信号がともに‘Ｈ’の場合は‘Ｈ’を出力、それ以外の場合は‘Ｌ’を出力）。
【０１９３】
ここで論理和回路１７３１は、論理積回路１９３８の出力信号とＧ信号判別信号発生回路１７３０の出力信号の論理和を検出する（１９３８の出力信号及び１７３０の出力信号がともに‘Ｈ’または１９３８の出力信号と１７３０の出力信号のうちいずれか一方が‘Ｈ’の場合は‘Ｈ’を出力、１９３８の出力信号及び１７３０の出力信号がともに‘Ｌ’の場合は‘Ｌ’を出力）。
【０１９４】
ここで信号切換回路１７３２は、論理和回路１７３１の出力信号が‘Ｈ’のときはＤフリップフロップ１９０２の出力信号を選択して出力し、論理和回路１７３１の出力信号が‘Ｌ’のときは、信号切換回路１７２０の出力信号を選択出力する。
【０１９５】
この構成によると、隣接画素信号の漏れ込み信号成分によるＲＧラインのＧ信号とＢＧラインのＧ信号の段差が低減され、かつＧ信号が飽和した場合（ＲＧラインのＧ信号、ＢＧラインのＧ信号もともに飽和）またはＲＧラインのＧ信号、ＢＧラインのＧ信号のうちＲＧラインのＧ信号またはＢＧラインのＧ信号の一方のラインのＧ信号だけ飽和した場合に漏れ込み信号成分減算処理の弊害が発生しなくなる。
【０１９６】
【発明の効果】
以上のように本発明の請求項１および請求項４，請求項７記載の発明は、特定色画素信号から、特定色画素信号と隣接する特定色以外の画素信号より算出した一定割合の信号成分を減算して、補正対象画画素信号が飽和レベルに達した場合には前記補正処理を停止することで、例えば、補正対象画画素信号をＧ信号とした場合に、Ｇ信号の横方向に隣接するＲ信号またはＢ信号からＧ信号側に漏れ込むことによる信号混色不具合と信号混色によるＲＧラインのＧ信号とＢＧラインのＧ信号の段差を低減すると同時に、Ｇ信号飽和時における隣接画素信号成分漏れ込み補正処理の弊害を抑制できる。
【０１９７】
本発明の請求項２および請求項３，５，６，８，９に記載の発明は、特定色画素信号から、特定色画素信号と隣接する特定色以外の画素信号より算出した一定割合の信号成分を減算するとともに、特定色画素信号が飽和レベルに達した場合に、特定色画素信号に対する信号漏れ込み低減補正処理の停止を命令して、さらに、特定色以外の画素信号から、特定色以外の画素信号と隣接する特定色画素信号より算出した一定割合の信号成分を減算するとともに、特定色以外の画素信号が飽和レベルに達した場合に、特定色以外の画素信号に対する隣接画素信号漏れ込み低減補正処理を停止する。
【０１９８】
例えば、補正対象画画素信号をＧ信号とした場合に、Ｇ信号と隣接するＲ信号またはＢ信号からＧ信号側に漏れ込むことによる信号混色不具合と信号混色によるＲＧラインのＧ信号とＢＧラインのＧ信号の段差、およびＲ信号またはＢ信号と隣接すると同時に、Ｇ信号からＲ信号側またはＢ信号側に漏れ込むことによる信号混色不具合を低減し、Ｒ・Ｇ・Ｂ信号飽和時における隣接画素信号成分漏れ込み補正処理の弊害を抑制できる。
【０１９９】
本発明の請求項１０記載の画素信号混色低減装置は、請求項１〜請求項９のいずれかにおいて、補正対象特定色画素信号レベル飽和かつ補正対象特定色画素信号の斜め右上、斜め右下、斜め左上、斜め左下に隣接する補正対象周辺特定色画素信号レベル飽和時は、補正対象特定色画素信号に対する隣接画素信号漏れ込み補正処理を停止する飽和非飽和判別回路を備えたので、例えば、補正対象画画素信号をＧ信号とした場合に、補正対象Ｇ信号の信号レベルが飽和していない場合、または補正対象Ｇ信号レベル飽和時に補正対象Ｇ信号に隣接する補正対象周辺Ｇ信号の信号レベルが飽和していない場合に、補正対象Ｇ信号から補正対象Ｇ信号に隣接するＲ信号またはＢ信号から算出した一定割合の信号成分を減算する隣接画素信号成分漏れ込み補正処理を行い、補正対象Ｇ信号レベル飽和時かつ補正対象Ｇ信号に隣接する補正対象周辺Ｇ信号レベル飽和時は、補正対象Ｇ信号に対する隣接画素信号成分漏れ込み補正処理を停止することにより、隣接する画素信号に漏れ込むことによる信号混色不具合を低減すると同時に、ＲＧラインのＧ信号またはＢＧラインのＧ信号のうち、いずれか片方のＧ信号が飽和した場合における隣接画素信号成分漏れ込み補正処理の弊害を抑制できる。
【０２００】
本発明の請求項１２および請求項１３記載の画素信号混色低減装置は、請求項１〜請求項９のいずれかにおいて、補正対象特定色画素信号レベル飽和時かつ補正対象特定色画素信号に隣接する補正対象周辺特定色画素信号レベルが飽和していない場合であって、補正対象特定色画素信号について隣接画素信号漏れ込み低減補正処理して得られた補正処理後補正対象特定色画素信号の信号レベルが、補正対象特定色の画素信号に隣接する補正対象周辺特定色画素信号について隣接画素信号漏れ込み低減補正処理して得られた補正処理後の補正対象周辺特定色の画素信号の信号レベルよりも小さい場合は、補正対象特定色画素信号の信号レベルを補正処理後の補正対象周辺特定色の画素信号の信号レベルと同じにするレベル調節手段と、補正対象特定色画素信号レベル飽和時かつ補正対象特定色画素信号に隣接する補正対象周辺特定色画素信号レベル飽和時は、補正対象特定色画素信号に対する隣接画素信号漏れ込み低減処理を停止を命令する処理停止命令手段を備えたので、例えば、補正対象画画素信号をＧ信号とした場合に、隣接する画素信号に漏れ込むことによる信号混色不具合を低減すると同時に、ＲＧラインのＧ信号またはＢＧラインのＧ信号の片方のＧ信号が飽和した場合における隣接画素信号成分漏れ込み補正処理の弊害を抑制できる。
【図面の簡単な説明】
【図１】本発明の画素信号混色低減装置の（実施の形態１）の構成図
【図２】同実施の形態の補正対象が装置信号ラインがＲＧラインの場合の説明図と補正対象が装置信号ラインがＢＧラインの場合の説明図
【図３】同実施の形態の隣接画素信号成分漏れ込み補正処理動作の説明図
【図４】同実施の形態の隣接画素信号成分漏れ込み補正処理動作の説明図
【図５】同実施の形態の隣接画素信号成分漏れ込み補正処理動作の説明図
【図６】同実施の形態の隣接画素信号成分漏れ込み補正処理動作の説明図
【図７】同実施の形態の隣接画素信号成分漏れ込み補正処理動作の説明図
【図８】同実施の形態の隣接画素信号成分漏れ込み補正処理動作の説明図
【図９】本発明の画素信号混色低減装置の（実施の形態２）の構成図
【図１０】本発明の画素信号混色低減装置の（実施の形態３）の構成図
【図１１】同実施の形態の補正対象が装置信号ラインがＲＧラインの場合の説明図と補正対象が装置信号ラインがＢＧラインの場合の説明図
【図１２】本発明の画素信号混色低減装置の（実施の形態４）の構成図
【図１３】本発明の画素信号混色低減装置の（実施の形態５）の構成図
【図１４】本発明の画素信号混色低減装置の（実施の形態６）の構成図
【図１５】同実施の形態の別の実施例の構成図
【図１６】本発明の画素信号混色低減装置の（実施の形態７）の構成図
【図１７】同実施の形態の補正対象が装置信号ラインがＲＧラインの場合の説明図
【図１８】同実施の形態の隣接画素信号成分漏れ込み補正処理動作の説明図
【図１９】同実施の形態の隣接画素信号成分漏れ込み補正処理動作の説明図
【図２０】同実施の形態の隣接画素信号成分漏れ込み補正処理動作の説明図
【図２１】同実施の形態の隣接画素信号成分漏れ込み補正処理動作の説明図
【図２２】同実施の形態の隣接画素信号成分漏れ込み補正処理動作の説明図
【図２３】同実施の形態の隣接画素信号成分漏れ込み補正処理動作の説明図
【図２４】本発明の画素信号混色低減装置の（実施の形態８）の構成図
【図２５】本発明の画素信号混色低減装置の（実施の形態９）の構成図
【図２６】同実施の形態の隣接画素信号成分漏れ込み補正処理動作の説明図
【図２７】同実施の形態の隣接画素信号成分漏れ込み補正処理動作の説明図
【図２８】同実施の形態の隣接画素信号成分漏れ込み補正処理動作の説明図
【図２９】同実施の形態の隣接画素信号成分漏れ込み補正処理動作の説明図
【図３０】同実施の形態の隣接画素信号成分漏れ込み補正処理動作の説明図
【図３１】同実施の形態の隣接画素信号成分漏れ込み補正処理動作の説明図
【図３２】本発明の画素信号混色低減装置の（実施の形態１０）の構成図
【図３３】撮像素子のカラーフィルタ配列説明図
【図３４】撮像素子の高画素化にともなう微細化による課題説明図
【図３５】撮像素子の高画素化にともなう高速駆動化による課題説明図
【図３６】撮像素子の高画素化にともなう高速駆動化による課題説明図
【図３７】撮像素子の高画素化にともなう高速駆動化による課題説明図
【符号の説明】
１０１，１０２　　Ｄフリップフロップ
１０３　　補正処理手段
１０４　　補正対象Ｇ信号／補正対象外Ｒ信号Ｂ信号判別および補正対象Ｇ信号飽和非飽和判別信号発生ブロック
１０６　　信号切換回路
３０１，３０２　　Ｄフリップフロップ
３０３　　補正処理手段
３０４　　補正対象画素信号の信号レベルの飽和非飽和判別回路
３０５　　信号切換回路
５０１，５０２　　Ｄフリップフロップ
５０３　　Ｄフリップフロップ
５０４　　縦方向補正処理手段
５０５　　処理停止命令手段
５０６　　信号切換回路
７０４　　補正処理手段
７０６　　信号切換回路
９０１，９０２　　Ｄフリップフロップ
９０３，９０４　　Ｄフリップフロップ
９０５　　補正処理手段
９０６　　縦方向補正処理手段
９０７　　処理停止命令手段
９０８　　信号切換回路
１１０５　　第１の補正処理手段
１１０６　　第２の補正処理手段
１１０７　　飽和非飽和判別回路
１１０８　　信号切換回路
１３０５　　補正処理手段
１３０６，１３０７　　Ｄフリップフロップ
１３０８　　飽和非飽和判別回路判別回路
１３０９　　論理和回路
１３１０　　信号切換回路
１５０８　　飽和非飽和判別回路
１５１０　　信号切換回路
１７０１，１７０２，１７０３　　Ｄフリップフロップ
１７０４　　補正処理手段
１７０５　　補正対象画素信号飽和非飽和判別信号発生ブロック
１７０６，１７０７　　Ｄフリップフロップ
１７０８　　補正処理手段
１７０９　　飽和非飽和判別回路
１７１０，１７１１　　Ｄフリップフロップ
１７１２，１７１３　　Ｄフリップフロップ
１７１４　　補正処理手段
１７１５，１７１６　　Ｄフリップフロップ
１７１７　　平均値算出回路
１７１８　　大小比較回路
１７１９　　論理積回路
１７２０　　信号切換回路
１７２１，１７２２　　Ｄフリップフロップ
１７２３　　画素信号飽和非飽和判別信号発生ブロック
１７２４，１７２５　　Ｄフリップフロップ
１７２６，１７２７　　論理積回路
１７２８，１７２９　　論理積回路
１７３０　　Ｇ信号判別信号発生回路
１７３１　　論理和回路
１７３２　　信号切換回路
１９２８　　画素信号飽和非飽和判別信号発生ブロック
１９１８，１９１９　　平均値算出回路
１９２０，１９２１　　大小比較回路
１９２２　　信号切換回路
１９２３　　論理積回路
１９２４　　信号切換回路
１９２５　　論理和回路
１９２７　　信号切換回路
１９３４，１９３５　　論理積回路
１９３６　　論理和回路
１９３８　　論理積回路
【図１】
2004135206.tif 000003
【図２】
2004135206.tif 000004
【図３】
2004135206.tif 000005
【図４】
2004135206.tif 000006
【図５】
2004135206.tif 000007
【図６】
2004135206.tif 000008
【図７】
2004135206.tif 000009
【図８】
2004135206.tif 000010
【図９】
2004135206.tif 000011
【図１０】
2004135206.tif 000012
【図１１】
2004135206.tif 000013
【図１２】
2004135206.tif 000014
【図１３】
2004135206.tif 000015
【図１４】
2004135206.tif 000016
【図１５】
2004135206.tif 000017
【図１６】
2004135206.tif 000018
【図１７】
2004135206.tif 000019
【図１８】
2004135206.tif 000020
【図１９】
2004135206.tif 000021
【図２０】
2004135206.tif 000022
【図２１】
2004135206.tif 000023
【図２２】
2004135206.tif 000024
【図２３】
2004135206.tif 000025
【図２４】
2004135206.tif 000026
【図２５】
2004135206.tif 000027
【図２６】
2004135206.tif 000028
【図２７】
2004135206.tif 000029
【図２８】
2004135206.tif 000030
【図２９】
2004135206.tif 000031
【図３０】
2004135206.tif 000032
【図３１】
2004135206.tif 000033
【図３２】
2004135206.tif 000034
【図３３】
2004135206.tif 000035
【図３４】
2004135206.tif 000036
【図３５】
2004135206.tif 000037
【図３６】
2004135206.tif 000038
【図３７】
2004135206.tif 000039